(57)【要約】  指示シグナリングの伝送、受信方法、装置、ネットワーク側機器及び端末を提供しており、当該方法は、ターゲット物理リソース又はターゲット下りリンク制御チャネル上で指示シグナリングを送信することであって、指示シグナリングには、少なくとも１つの端末の検出情報が含まれ、検出情報には、次の少なくとも１つの不連続受信ＤＲＸ周期内のアクティブ状態を指示するための第一指示情報と、次の少なくとも１つのＤＲＸ周期におけるＤＲＸパラメータの設定を指示するための第二指示情報と、検出すべき下りリンク制御チャネルの検出状態情報を指示するための第三指示情報と、次の少なくとも１つのページング機会の検出状態を指示するための第四指示情報とのうち、少なくとも１つが含まれる、送信することを包含する。【選択図】  図２
2021536185.tif 000002
【特許請求の範囲】
【請求項１】
ネットワーク側機器に適用される、指示シグナリングの伝送方法であって、
ターゲット物理リソース又はターゲット下りリンク制御チャネル上で指示シグナリングを送信することを包含し、前記指示シグナリングには、少なくとも１つの端末の検出情報が含まれ、前記検出情報には、
次の少なくとも１つの不連続受信ＤＲＸ（Ｄｉｓｃｏｎｔｉｎｕｏｕｓ  Ｒｅｃｅｐｔｉｏｎ）周期内のアクティブ状態を指示するための第一指示情報と、
次の少なくとも１つのＤＲＸ周期におけるＤＲＸパラメータの設定を指示するための第二指示情報と、
検出すべき下りリンク制御チャネルの検出状態情報を指示するための第三指示情報と、
次の少なくとも１つのページング機会の検出状態を指示するための第四指示情報とのうち、少なくとも１つが含まれる、指示シグナリングの伝送方法。
【請求項２】
ターゲット物理リソースには、
タイムスロットの最初の直交周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル、及び／又は、
下りリンク制御チャネルを伝送する制御チャネルリソース集合の位置するＯＦＤＭシンボルが含まれる、請求項１に記載の方法。
【請求項３】
ターゲット下りリンク制御チャネルには、
共通制御情報を搬送する制御チャネル及び／又は端末専用制御情報を搬送する制御チャネルが含まれる、請求項１に記載の方法。
【請求項４】
前記のターゲット物理リソース又はターゲット下りリンク制御チャネル上で指示シグナリングを送信することは、
情報ビットと符号化ビットとがマッピング関係を持つ符号化方式を用いて、指示シグナリングを符号化し、及び／又は、情報ビットが繰り返されるチャネル符号化方式か或いは符号レートの低いチャネル符号化方式を用いて、前記指示シグナリングを符号化することと、
前記ターゲット物理リソース又はターゲット下りリンク制御チャネル上で、符号化後の前記指示シグナリングを送信することとを包含する、請求項１に記載の方法。
【請求項５】
前記ターゲット物理リソース又はターゲット下りリンク制御チャネル上で、シーケンスによって前記指示シグナリングを搬送する、請求項１に記載の方法。
【請求項６】
ターゲット物理リソースの周波数領域リソースマッピング単位は、
下りリンク制御チャネルのリソース要素グループＲＥＧ（Ｒｅｓｏｕｒｃｅ  Ｅｌｅｍｅｎｔ  Ｇｒｏｕｐ）、又は、
Ｎ（Ｎは、１以上の整数）個のリソースブロックＲＢ（Ｒｅｓｏｕｒｃｅ  Ｂｌｏｃｋ）である、請求項２又は５に記載の方法。
【請求項７】
ターゲット物理リソースの周波数領域リソース位置は、事前定義の方式、又はネットワーク側シグナリングによる設定の方式で特定され、
及び／又は、ターゲット物理リソースの時間領域ＯＦＤＭシンボルの位置は、事前定義の方式、又はネットワーク側シグナリングによる設定の方式で特定される、請求項１に記載の方法。
【請求項８】
前記指示シグナリングに第一指示情報が含まれる場合、
前記第一指示情報によって指示される次の少なくとも１つの不連続受信ＤＲＸ周期内のアクティブ状態は、
次の少なくとも１つのＤＲＸ周期内で所定条件が満たされた場合、不連続受信−持続時間タイマｄｒｘ−ｏｎＤｕｒａｔｉｏｎＴｉｍｅｒをスタートさせるかどうかの情報と、
次の少なくとも１つのＤＲＸ周期のアクティブ期間内で、下りリンク制御チャネルを検出するかどうかの情報と、
次の少なくとも１つのＤＲＸ周期内で所定条件が満たされた場合、ｄｒｘ−ｏｎＤｕｒａｔｉｏｎＴｉｍｅｒをスタートさせる旨と、
次の少なくとも１つのＤＲＸ周期のアクティブ期間内で、下りリンク制御チャネルを検出する旨とのうち、少なくとも１つを含み、
そのうち、所定条件は、
不連続受信−短周期ｄｒｘ−ＳｈｏｒｔＣｙｃｌｅの場合、第一制約関係を満たすサブフレームの開始位置から、不連続受信−タイムスロットオフセットｄｒｘ−ＳｌｏｔＯｆｆｓｅｔパラメータによって示される時間の後が表す時間位置であることと、
不連続受信−長周期ｄｒｘ−ＬｏｎｇＣｙｃｌｅの場合、第二制約関係を満たすサブフレームの開始位置から、不連続受信−タイムスロットオフセットｄｒｘ−ＳｌｏｔＯｆｆｓｅｔパラメータによって示される時間の後が表す時間位置であることとのうち、少なくとも１つを含む、請求項１に記載の方法。
【請求項９】
前記指示シグナリングに前記第二指示情報が含まれる場合、
ＤＲＸパラメータ設定が上位層シグナリングによって複数セット設定されていれば、前記第二指示情報は、前記上位層シグナリングによって設定された複数セットのＤＲＸパラメータ設定のうち、１セットのＤＲＸパラメータ設定が、ＤＲＸ周期に適用されるＤＲＸパラメータ設定であることを指示し、
ＤＲＸパラメータ設定が上位層シグナリングによって１セット設定されていれば、前記第二指示情報は、スケーリングファクタを指示し、ＤＲＸ周期に適用されるＤＲＸパラメータは、前記上位層シグナリングによって設定されたＤＲＸパラメータ設定と、前記スケーリングファクタとによって特定される、請求項１に記載の方法。
【請求項１０】
前記指示シグナリングに前記第三指示情報が含まれる場合、前記第三指示情報は、下記の情報、即ち、
検出すべきサーチスペースの類型と、
検出すべきサーチスペースの候補と、
検出すべきサーチスペース集合と、
検出すべきサーチスペースの無線ネットワーク一時識別子ＲＮＴＩ（Ｒａｄｉｏ  Ｎｅｔｗｏｒｋ  Ｔｅｍｐｏｒａｒｙ  Ｉｄｅｎｔｉｆｉｅｒ）の類型と、
検出すべき下りリンク制御情報のフォーマットと、
検出すべき下りリンク制御情報の長さとのうち、少なくとも１つの情報の値によって、検出すべき下りリンク制御チャネルの検出状態情報を指示する、請求項１に記載の方法。
【請求項１１】
検出すべきサーチスペースの類型は、共通サーチスペース及び／又は端末専用のサーチスペースを含む、請求項１０に記載の方法。
【請求項１２】
検出すべきサーチスペース集合の値は、検出すべきサーチスペース集合のグループのインデックス、及び／又は、検出すべきサーチスペース集合のインデックスを含み、
ここで、検出すべきサーチスペース集合のグループには、少なくとも２つの検出すべきサーチスペース集合が含まれる、請求項１０に記載の方法。
【請求項１３】
検出すべきサーチスペースの候補の値は、検出すべきサーチスペースの候補の比率値と、検出すべきサーチスペースの候補の集約レベルと、検出すべきサーチスペースの候補の集約レベルのグループの識別子とのうち、少なくとも１つを含み、
ここで、検出すべきサーチスペースの候補の集約レベルのグループには、検出すべきサーチスペースの候補の少なくとも２つの集約レベルが含まれる、請求項１０に記載の方法。
【請求項１４】
前記指示シグナリングは、共通指示シグナリング又は端末専用指示シグナリングである、請求項１に記載の方法。
【請求項１５】
前記指示シグナリングが共通指示シグナリングの場合、
異なる端末の検出情報は、前記指示シグナリングにおける同じビット又は異なるビットに対応する、請求項１４に記載の方法。
【請求項１６】
端末に適用される、指示シグナリングの受信方法であって、
ネットワーク側機器からターゲット物理リソース又はターゲット下りリンク制御チャネル上で送信された指示シグナリングを受信することを包含し、前記指示シグナリングには、少なくとも１つの端末の検出情報が含まれ、前記検出情報には、
次の少なくとも１つの不連続受信ＤＲＸ周期内のアクティブ状態を指示するための第一指示情報と、
次の少なくとも１つのＤＲＸ周期におけるＤＲＸパラメータの設定を指示するための第二指示情報と、
検出すべき下りリンク制御チャネルの検出状態情報を指示するための第三指示情報と、
次の少なくとも１つのページング機会の検出状態を指示するための第四指示情報とのうち、少なくとも１つが含まれる、指示シグナリングの受信方法。
【請求項１７】
ターゲット物理リソースには、
タイムスロットの最初の直交周波数分割多重ＯＦＤＭシンボル、及び／又は、
下りリンク制御チャネルを伝送する制御チャネルリソース集合の位置するＯＦＤＭシンボルが含まれる、請求項１６に記載の方法。
【請求項１８】
ターゲット下りリンク制御チャネルには、
共通制御情報を搬送する制御チャネル及び／又は端末専用制御情報を搬送する制御チャネルが含まれる、請求項１６に記載の方法。
【請求項１９】
前記のネットワーク側機器からターゲット物理リソース又はターゲット下りリンク制御チャネル上で送信された指示シグナリングを受信することは、
ネットワーク側機器からターゲット物理リソース又はターゲット下りリンク制御チャネル上で送信された符号化後の指示シグナリングを受信することを含み、
前記ネットワーク側機器によって、情報ビットと符号化ビットとがマッピング関係を持つ符号化方式を用いて、指示シグナリングが符号化され、及び／又は、情報ビットが繰り返される符号化方式か或いは符号レートの低いチャネル符号化方式を用いて、前記指示シグナリングが符号化される、請求項１６に記載の方法。
【請求項２０】
前記ターゲット物理リソース又はターゲット下りリンク制御チャネル上で、シーケンスによって前記指示シグナリングを搬送する、請求項１６に記載の方法。
【請求項２１】
ターゲット物理リソースの周波数領域リソースマッピング単位は、
下りリンク制御チャネルのリソース要素グループＲＥＧ、又は、
Ｎ（Ｎは、１以上の整数）個のリソースブロックＲＢである、請求項１７又は２０に記載の方法。
【請求項２２】
ターゲット物理リソースの周波数領域リソース位置は、事前定義の方式、又はネットワーク側シグナリングによる設定の方式で特定され、
及び／又は、ターゲット物理リソースの時間領域ＯＦＤＭシンボルの位置は、事前定義の方式、又はネットワーク側シグナリングによる設定の方式で特定される、請求項１６に記載の方法。
【請求項２３】
前記指示シグナリングに第一指示情報が含まれる場合、
前記第一指示情報によって指示される次の少なくとも１つの不連続受信ＤＲＸ周期内のアクティブ状態は、
次の少なくとも１つのＤＲＸ周期内で所定条件が満たされた場合、不連続受信−持続時間タイマｄｒｘ−ｏｎＤｕｒａｔｉｏｎＴｉｍｅｒをスタートさせるかどうかの情報と、
次の少なくとも１つのＤＲＸ周期のアクティブ期間内で、下りリンク制御チャネルを検出するかどうかの情報と、
次の少なくとも１つのＤＲＸ周期内で所定条件が満たされた場合、ｄｒｘ−ｏｎＤｕｒａｔｉｏｎＴｉｍｅｒをスタートさせる旨と、
次の少なくとも１つのＤＲＸ周期のアクティブ期間内で、下りリンク制御チャネルを検出する旨とのうち、少なくとも１つを含み、
そのうち、所定条件は、
不連続受信−短周期ｄｒｘ−ＳｈｏｒｔＣｙｃｌｅの場合、第一制約関係を満たすサブフレームの開始位置から、不連続受信−タイムスロットオフセットｄｒｘ−ＳｌｏｔＯｆｆｓｅｔパラメータによって示される時間の後が表す時間位置であることと、
不連続受信−長周期ｄｒｘ−ＬｏｎｇＣｙｃｌｅの場合、第二制約関係を満たすサブフレームの開始位置から、不連続受信−タイムスロットオフセットｄｒｘ−ＳｌｏｔＯｆｆｓｅｔパラメータによって示される時間の後が表す時間位置であることとのうち、少なくとも１つを含む、請求項１６に記載の方法。
【請求項２４】
前記指示シグナリングに前記第二指示情報が含まれる場合、
ＤＲＸパラメータ設定が上位層シグナリングによって複数セット設定されていれば、前記第二指示情報は、前記上位層シグナリングによって設定された複数セットのＤＲＸパラメータ設定のうち、１セットのＤＲＸパラメータ設定が、ＤＲＸ周期に適用されるＤＲＸパラメータ設定であることを指示し、
ＤＲＸパラメータ設定が上位層シグナリングによって１セット設定されていれば、前記第二指示情報は、スケーリングファクタを指示し、ＤＲＸ周期に適用されるＤＲＸパラメータは、前記上位層シグナリングによって設定されたＤＲＸパラメータ設定と、前記スケーリングファクタとによって特定される、請求項１６に記載の方法。
【請求項２５】
前記指示シグナリングに前記第三指示情報が含まれる場合、前記第三指示情報は、下記の情報、即ち、
検出すべきサーチスペースの類型と、
検出すべきサーチスペースの候補と、
検出すべきサーチスペース集合と、
検出すべきサーチスペースの無線ネットワーク一時識別子ＲＮＴＩの類型と、
検出すべき下りリンク制御情報のフォーマットと、
検出すべき下りリンク制御情報の長さとのうち、少なくとも１つの情報の値によって、検出すべき下りリンク制御チャネルの検出状態情報を指示する、請求項１６に記載の方法。
【請求項２６】
検出すべきサーチスペースの類型は、共通サーチスペース及び／又は端末専用のサーチスペースを含む、請求項２５に記載の方法。
【請求項２７】
検出すべきサーチスペース集合の値は、検出すべきサーチスペース集合のグループのインデックス、及び／又は、検出すべきサーチスペース集合のインデックスを含み、
ここで、検出すべきサーチスペース集合のグループには、少なくとも２つの検出すべきサーチスペース集合が含まれる、請求項２５に記載の方法。
【請求項２８】
検出すべきサーチスペースの候補の値は、検出すべきサーチスペースの候補の比率値と、検出すべきサーチスペースの候補の集約レベルと、検出すべきサーチスペースの候補の集約レベルのグループの識別子とのうち、少なくとも１つを含み、
ここで、検出すべきサーチスペースの候補の集約レベルのグループには、検出すべきサーチスペースの候補の少なくとも２つの集約レベルが含まれる、請求項２５に記載の方法。
【請求項２９】
前記指示シグナリングは、共通指示シグナリング又は端末専用指示シグナリングである、請求項１６に記載の方法。
【請求項３０】
前記指示シグナリングが共通指示シグナリングの場合、
異なる端末の検出情報は、前記指示シグナリングにおける同じビット又は異なるビットに対応する、請求項２９に記載の方法。
【請求項３１】
ネットワーク側機器に適用される、指示シグナリングの伝送装置であって、
ターゲット物理リソース又はターゲット下りリンク制御チャネル上で指示シグナリングを送信するための送信モジュールを含み、前記指示シグナリングには、少なくとも１つの端末の検出情報が含まれ、前記検出情報には、
次の少なくとも１つの不連続受信ＤＲＸ周期内のアクティブ状態を指示するための第一指示情報と、
次の少なくとも１つのＤＲＸ周期におけるＤＲＸパラメータの設定を指示するための第二指示情報と、
検出すべき下りリンク制御チャネルの検出状態情報を指示するための第三指示情報と、
次の少なくとも１つのページング機会の検出状態を指示するための第四指示情報とのうち、少なくとも１つが含まれる、指示シグナリングの伝送装置。
【請求項３２】
プロセッサ及びトランシーバを含むネットワーク側機器であって、前記プロセッサは、
ターゲット物理リソース又はターゲット下りリンク制御チャネル上で指示シグナリングを送信する手順を前記トランシーバに実行させるように制御するためのものであり、前記指示シグナリングには、少なくとも１つの端末の検出情報が含まれ、前記検出情報には、
次の少なくとも１つの不連続受信ＤＲＸ（Ｄｉｓｃｏｎｔｉｎｕｏｕｓ  Ｒｅｃｅｐｔｉｏｎ）周期内のアクティブ状態を指示するための第一指示情報と、
次の少なくとも１つのＤＲＸ周期におけるＤＲＸパラメータの設定を指示するための第二指示情報と、
検出すべき下りリンク制御チャネルの検出状態情報を指示するための第三指示情報と、
次の少なくとも１つのページング機会の検出状態を指示するための第四指示情報とのうち、少なくとも１つが含まれる、ネットワーク側機器。
【請求項３３】
ターゲット物理リソースには、
タイムスロットの最初の直交周波数分割多重ＯＦＤＭシンボル、及び／又は、
下りリンク制御チャネルを伝送する制御チャネルリソース集合の位置するＯＦＤＭシンボルが含まれる、請求項３２に記載のネットワーク側機器。
【請求項３４】
ターゲット下りリンク制御チャネルには、
共通制御情報を搬送する制御チャネル及び／又は端末専用制御情報を搬送する制御チャネルが含まれる、請求項３２に記載のネットワーク側機器。
【請求項３５】
前記プロセッサは、
情報ビットと符号化ビットとがマッピング関係を持つ符号化方式を用いて、指示シグナリングを符号化し、及び／又は、情報ビットが繰り返されるチャネル符号化方式か或いは符号レートの低いチャネル符号化方式を用いて、前記指示シグナリングを符号化するために更に用いられ、
前記トランシーバは、
前記ターゲット物理リソース又はターゲット下りリンク制御チャネル上で、符号化後の前記指示シグナリングを送信するために更に用いられる、請求項３２に記載のネットワーク側機器。
【請求項３６】
前記プロセッサは、
前記ターゲット物理リソース又はターゲット下りリンク制御チャネル上で、シーケンスによって前記指示シグナリングを搬送するために更に用いられる、請求項３２に記載のネットワーク側機器。
【請求項３７】
ターゲット物理リソースの周波数領域リソースマッピング単位は、
下りリンク制御チャネルのリソース要素グループＲＥＧ、又は、
Ｎ（Ｎは、１以上の整数）個のリソースブロックＲＢである、請求項３３又は３６に記載のネットワーク側機器。
【請求項３８】
ターゲット物理リソースの周波数領域リソース位置は、事前定義の方式、又はネットワーク側シグナリングによる設定の方式で特定され、
及び／又は、ターゲット物理リソースの時間領域ＯＦＤＭシンボルの位置は、事前定義の方式、又はネットワーク側シグナリングによる設定の方式で特定される、請求項３２に記載のネットワーク側機器。
【請求項３９】
前記指示シグナリングに第一指示情報が含まれる場合、
前記第一指示情報によって指示される次の少なくとも１つの不連続受信ＤＲＸ周期内のアクティブ状態は、
次の少なくとも１つのＤＲＸ周期内で所定条件が満たされた場合、不連続受信−持続時間タイマｄｒｘ−ｏｎＤｕｒａｔｉｏｎＴｉｍｅｒをスタートさせるかどうかの情報と、
次の少なくとも１つのＤＲＸ周期のアクティブ期間内で、下りリンク制御チャネルを検出するかどうかの情報と、
次の少なくとも１つのＤＲＸ周期内で所定条件が満たされた場合、ｄｒｘ−ｏｎＤｕｒａｔｉｏｎＴｉｍｅｒをスタートさせる旨と、
次の少なくとも１つのＤＲＸ周期のアクティブ期間内で、下りリンク制御チャネルを検出する旨とのうち、少なくとも１つを含み、
そのうち、所定条件は、
不連続受信−短周期ｄｒｘ−ＳｈｏｒｔＣｙｃｌｅの場合、第一制約関係を満たすサブフレームの開始位置から、不連続受信−タイムスロットオフセットｄｒｘ−ＳｌｏｔＯｆｆｓｅｔパラメータによって示される時間の後が表す時間位置であることと、
不連続受信−長周期ｄｒｘ−ＬｏｎｇＣｙｃｌｅの場合、第二制約関係を満たすサブフレームの開始位置から、不連続受信−タイムスロットオフセットｄｒｘ−ＳｌｏｔＯｆｆｓｅｔパラメータによって示される時間の後が表す時間位置であることとのうち、少なくとも１つを含む、請求項３２に記載のネットワーク側機器。
【請求項４０】
前記指示シグナリングに前記第二指示情報が含まれる場合、
ＤＲＸパラメータ設定が上位層シグナリングによって複数セット設定されていれば、前記第二指示情報は、前記上位層シグナリングによって設定された複数セットのＤＲＸパラメータ設定のうち、１セットのＤＲＸパラメータ設定が、ＤＲＸ周期に適用されるＤＲＸパラメータ設定であることを指示し、
ＤＲＸパラメータ設定が上位層シグナリングによって１セット設定されていれば、前記第二指示情報は、スケーリングファクタを指示し、ＤＲＸ周期に適用されるＤＲＸパラメータは、前記上位層シグナリングによって設定されたＤＲＸパラメータ設定と、前記スケーリングファクタとによって特定される、請求項３２に記載のネットワーク側機器。
【請求項４１】
前記指示シグナリングに前記第三指示情報が含まれる場合、前記第三指示情報は、下記の情報、即ち、
検出すべきサーチスペースの類型と、
検出すべきサーチスペースの候補と、
検出すべきサーチスペース集合と、
検出すべきサーチスペースの無線ネットワーク一時識別子ＲＮＴＩの類型と、
検出すべき下りリンク制御情報のフォーマットと、
検出すべき下りリンク制御情報の長さとのうち、少なくとも１つの情報の値によって、検出すべき下りリンク制御チャネルの検出状態情報を指示する、請求項３２に記載のネットワーク側機器。
【請求項４２】
検出すべきサーチスペースの類型は、共通サーチスペース及び／又は端末専用のサーチスペースを含む、請求項４１に記載のネットワーク側機器。
【請求項４３】
検出すべきサーチスペース集合の値は、検出すべきサーチスペース集合のグループのインデックス、及び／又は、検出すべきサーチスペース集合のインデックスを含み、
ここで、検出すべきサーチスペース集合のグループには、少なくとも２つの検出すべきサーチスペース集合が含まれる、請求項４１に記載のネットワーク側機器。
【請求項４４】
検出すべきサーチスペースの候補の値は、検出すべきサーチスペースの候補の比率値と、検出すべきサーチスペースの候補の集約レベルと、検出すべきサーチスペースの候補の集約レベルのグループの識別子とのうち、少なくとも１つを含み、
ここで、検出すべきサーチスペースの候補の集約レベルのグループには、検出すべきサーチスペースの候補の少なくとも２つの集約レベルが含まれる、請求項４１に記載のネットワーク側機器。
【請求項４５】
前記指示シグナリングは、共通指示シグナリング又は端末専用指示シグナリングである、請求項３２に記載のネットワーク側機器。
【請求項４６】
前記指示シグナリングが共通指示シグナリングの場合、
異なる端末の検出情報は、前記指示シグナリングにおける同じビット又は異なるビットに対応する、請求項４５に記載のネットワーク側機器。
【請求項４７】
端末に適用される、指示シグナリングの受信装置であって、
ネットワーク側機器からターゲット物理リソース又はターゲット下りリンク制御チャネル上で送信された指示シグナリングを受信するための受信モジュールを含み、前記指示シグナリングには、少なくとも１つの端末の検出情報が含まれ、前記検出情報には、
次の少なくとも１つの不連続受信ＤＲＸ周期内のアクティブ状態を指示するための第一指示情報と、
次の少なくとも１つのＤＲＸ周期におけるＤＲＸパラメータの設定を指示するための第二指示情報と、
検出すべき下りリンク制御チャネルの検出状態情報を指示するための第三指示情報と、
次の少なくとも１つのページング機会の検出状態を指示するための第四指示情報とのうち、少なくとも１つが含まれる、指示シグナリングの受信装置。
【請求項４８】
プロセッサ及びトランシーバを含む端末であって、前記プロセッサは、
ネットワーク側機器からターゲット物理リソース又はターゲット下りリンク制御チャネル上で送信された指示シグナリングを受信する手順を前記トランシーバに実行させるように制御するためのものであり、前記指示シグナリングには、少なくとも１つの端末の検出情報が含まれ、前記検出情報には、
次の少なくとも１つの不連続受信ＤＲＸ周期内のアクティブ状態を指示するための第一指示情報と、
次の少なくとも１つのＤＲＸ周期におけるＤＲＸパラメータの設定を指示するための第二指示情報と、
検出すべき下りリンク制御チャネルの検出状態情報を指示するための第三指示情報と、
次の少なくとも１つのページング機会の検出状態を指示するための第四指示情報とのうち、少なくとも１つが含まれる、端末。
【請求項４９】
ターゲット物理リソースには、
タイムスロットの最初の直交周波数分割多重ＯＦＤＭシンボル、及び／又は、
下りリンク制御チャネルを伝送する制御チャネルリソース集合の位置するＯＦＤＭシンボルが含まれる、請求項４８に記載の端末。
【請求項５０】
ターゲット下りリンク制御チャネルには、
共通制御情報を搬送する制御チャネル及び／又は端末専用制御情報を搬送する制御チャネルが含まれる、請求項４８に記載の端末。
【請求項５１】
前記トランシーバは、
ネットワーク側機器からターゲット物理リソース又はターゲット下りリンク制御チャネル上で送信された符号化後の指示シグナリングを受信するために更に用いられ、
前記ネットワーク側機器によって、情報ビットと符号化ビットとがマッピング関係を持つ符号化方式を用いて、指示シグナリングが符号化され、及び／又は、情報ビットが繰り返される符号化方式か或いは符号レートの低いチャネル符号化方式を用いて、前記指示シグナリングが符号化される、請求項４８に記載の端末。
【請求項５２】
前記ターゲット物理リソース又はターゲット下りリンク制御チャネル上で、シーケンスによって前記指示シグナリングを搬送する、請求項４８に記載の端末。
【請求項５３】
ターゲット物理リソースの周波数領域リソースマッピング単位は、
下りリンク制御チャネルのリソース要素グループＲＥＧ、又は、
Ｎ（Ｎは、１以上の整数）個のリソースブロックＲＢである、請求項４９又は５２に記載の端末。
【請求項５４】
ターゲット物理リソースの周波数領域リソース位置は、事前定義の方式、又はネットワーク側シグナリングによる設定の方式で特定され、
及び／又は、ターゲット物理リソースの時間領域ＯＦＤＭシンボルの位置は、事前定義の方式、又はネットワーク側シグナリングによる設定の方式で特定される、請求項４８に記載の端末。
【請求項５５】
前記指示シグナリングに第一指示情報が含まれる場合、
前記第一指示情報によって指示される次の少なくとも１つの不連続受信ＤＲＸ周期内のアクティブ状態は、
次の少なくとも１つのＤＲＸ周期内で所定条件が満たされた場合、不連続受信−持続時間タイマｄｒｘ−ｏｎＤｕｒａｔｉｏｎＴｉｍｅｒをスタートさせるかどうかの情報と、
次の少なくとも１つのＤＲＸ周期のアクティブ期間内で、下りリンク制御チャネルを検出するかどうかの情報と、
次の少なくとも１つのＤＲＸ周期内で所定条件が満たされた場合、ｄｒｘ−ｏｎＤｕｒａｔｉｏｎＴｉｍｅｒをスタートさせる旨と、
次の少なくとも１つのＤＲＸ周期のアクティブ期間内で、下りリンク制御チャネルを検出する旨とのうち、少なくとも１つを含み、
そのうち、所定条件は、
不連続受信−短周期ｄｒｘ−ＳｈｏｒｔＣｙｃｌｅの場合、第一制約関係を満たすサブフレームの開始位置から、不連続受信−タイムスロットオフセットｄｒｘ−ＳｌｏｔＯｆｆｓｅｔパラメータによって示される時間の後が表す時間位置であることと、
不連続受信−長周期ｄｒｘ−ＬｏｎｇＣｙｃｌｅの場合、第二制約関係を満たすサブフレームの開始位置から、不連続受信−タイムスロットオフセットｄｒｘ−ＳｌｏｔＯｆｆｓｅｔパラメータによって示される時間の後が表す時間位置であることとのうち、少なくとも１つを含む、請求項４８に記載の端末。
【請求項５６】
前記指示シグナリングに前記第二指示情報が含まれる場合、
ＤＲＸパラメータ設定が上位層シグナリングによって複数セット設定されていれば、前記第二指示情報は、前記上位層シグナリングによって設定された複数セットのＤＲＸパラメータ設定のうち、１セットのＤＲＸパラメータ設定が、ＤＲＸ周期に適用されるＤＲＸパラメータ設定であることを指示し、
ＤＲＸパラメータ設定が上位層シグナリングによって１セット設定されていれば、前記第二指示情報は、スケーリングファクタを指示し、ＤＲＸ周期に適用されるＤＲＸパラメータは、前記上位層シグナリングによって設定されたＤＲＸパラメータ設定と、前記スケーリングファクタとによって特定される、請求項４８に記載の端末。
【請求項５７】
前記指示シグナリングに前記第三指示情報が含まれる場合、前記第三指示情報は、下記の情報、即ち、
検出すべきサーチスペースの類型と、
検出すべきサーチスペースの候補と、
検出すべきサーチスペース集合と、
検出すべきサーチスペースの無線ネットワーク一時識別子ＲＮＴＩの類型と、
検出すべき下りリンク制御情報のフォーマットと、
検出すべき下りリンク制御情報の長さとのうち、少なくとも１つの情報の値によって、検出すべき下りリンク制御チャネルの検出状態情報を指示する、請求項４８に記載の端末。
【請求項５８】
検出すべきサーチスペースの類型は、共通サーチスペース及び／又は端末専用のサーチスペースを含む、請求項５７に記載の端末。
【請求項５９】
検出すべきサーチスペース集合の値は、検出すべきサーチスペース集合のグループのインデックス、及び／又は、検出すべきサーチスペース集合のインデックスを含み、
ここで、検出すべきサーチスペース集合のグループには、少なくとも２つの検出すべきサーチスペース集合が含まれる、請求項５７に記載の端末。
【請求項６０】
検出すべきサーチスペースの候補の値は、検出すべきサーチスペースの候補の比率値と、検出すべきサーチスペースの候補の集約レベルと、検出すべきサーチスペースの候補の集約レベルのグループの識別子とのうち、少なくとも１つを含み、
ここで、検出すべきサーチスペースの候補の集約レベルのグループには、検出すべきサーチスペースの候補の少なくとも２つの集約レベルが含まれる、請求項５７に記載の端末。
【請求項６１】
前記指示シグナリングは、共通指示シグナリング又は端末専用指示シグナリングである、請求項４８に記載の端末。
【請求項６２】
前記指示シグナリングが共通指示シグナリングの場合、
異なる端末の検出情報は、前記指示シグナリングにおける同じビット又は異なるビットに対応する、請求項６１に記載の端末。
【請求項６３】
コンピュータプログラムを記憶したコンピュータ読取可能な記憶媒体であって、当該プログラムがプロセッサによって実行されると、請求項１〜１５の何れか一項に記載の指示シグナリングの伝送方法が実現されるか、或いは、当該プログラムがプロセッサによって実行されると、請求項１６〜３０の何れか一項に記載の指示シグナリングの受信方法が実現される、コンピュータ読取可能な記憶媒体。
【発明の詳細な説明】
【技術分野】
【０００１】
関連出願の相互参照
本願は、２０１８年８月３１日に中国で出願された中国特許出願第２０１８１１０１０２１９．４号の優先権、及び２０１９年１月１０日に中国で出願された中国特許出願第２０１９１００２３２６８．Ｘ号の優先権を主張し、その内容の全ては、援用により本願に組み込まれる。
本開示は、通信の技術分野に関し、特に、指示シグナリングの伝送、受信方法、装置、ネットワーク側機器及び端末に関する。
【背景技術】
【０００２】
５Ｇシステムにおいて、端末は、より広い帯域幅を検出する必要があり、速度がより高いため、端末の消費電力は、長期進化ＬＴＥ（Ｌｏｎｇ  Ｔｅｒｍ  Ｅｖｏｌｕｔｉｏｎ）よりも大きくなる一方、新しいラジオＮＲ（Ｎｅｗ  Ｒａｄｉｏ）でサポートされる機能の増加に伴い、端末ＵＥ（Ｕｓｅｒ  Ｅｑｕｉｐｍｅｎｔ）は、異なる時刻で、異なるサービスをサポートする必要があり得るため、端末の使用頻度が高くなり、消費電力も更に増加してしまう。
【０００３】
端末のエネルギー消費は、主に以下の２つに集中している。
【０００４】
ページング：端末は、各ページング機会ＰＯ（ｐａｇｉｎｇ  ｏｃｃａｓｉｏｎ）でウェイクアップして物理下りリンク制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）を傍受する必要があるが、必ずしも基地局によって当該端末用にページングメッセージが設定されているとは限らないため、端末は、ＰＤＣＣＨ検出の段階において大量のエネルギーを消費してしまう。
【０００５】
グラントフリーＰＤＣＣＨ（ＰＤＣＣＨ  ｗｉｔｈｏｕｔ  ｇｒａｎｔ）：無線リソース制御ＲＲＣ（Ｒａｄｉｏ  Ｒｅｓｏｕｒｃｅ  Ｃｏｎｔｒｏｌ）接続状態では、端末は、ＰＤＣＣＨをブラインド検出するが、当該端末のスケジューリング情報がないことに起因して、大量のエネルギーを消費してしまう。
【０００６】
関連技術におけるいくつかの省エネルギー案には、主に以下のものが含まれる。
【０００７】
一、アイドル状態（ｉｄｌｅ  ｓｔａｔｅ）での省エネルギー
セルラーモノのインターネットの分野では、端末の省エネルギー技術が既に検討されており、例えば、アイドル状態では、省エネルギーのためにウェイクアップ信号ＷＵＳ（ｗａｋｅ  ｕｐ  ｓｉｇｎａｌ）を導入し、ＷＵＳによって、端末に、次のページング機会ＰＯ（ｐａｇｉｎｇ  ｏｃｃａｓｉｏｎ）を検出する必要があるかどうかを指示する。端末は、ＷＵＳを検出した場合、引き続きページングＰＤＣＣＨを検出し、端末がＷＵＳを検出しなかった場合、端末は、次のページング機会ＰＯ（ｐａｇｉｎｇ  ｏｃｃａｓｉｏｎ）を検出しない。
【０００８】
ＷＵＳ信号には、長さが１３１とされるＺＣ（Ｚａｄｏｆｆ−ｃｈｕ）シーケンスが採用され、セル識別子（セルＩＤ）が付帯されており、図１に示すように、上位層によってＷＵＳの最大時間領域持続期間が設定されるとともに、ＷＵＳと、ページングメッセージをスケジューリングするＰＤＣＣＨとの間の間隔（ｇａｐ）が設定される。ＮＢ（Ｎａｒｒｏｗ  Ｂａｎｄ）が狭帯域システムであるため、ＷＵＳは、周波数領域において、ＮＢの全帯域幅を占用し、時間領域において、１サブフレームを占用し、即ち１ｍｓとなる。
【０００９】
二、接続状態（ｃｏｎｎｅｃｔｅｄ  ｓｔａｔｅ）での省エネルギー
ＬＴＥでは、ＲＲＣ接続状態にあるＤＲＸ（Ｃｏｎｎｅｃｔｅｄ  Ｄｉｓｃｏｎｔｉｎｕｏｕｓ  Ｒｅｃｅｐｔｉｏｎ、Ｃ−ＤＲＸ）を設定することで、省エネルギーとレイテンシ性能のバランスを図っており、異なる端末については、異なるサービス類型及びサービス到着モデルがあり得るため、異なる端末用に異なるパラメータを設定することにより、異なるユーザの需要に適合している。
【００１０】
しかし、Ｃ−ＤＲＸによる調整は、半静的調整であり、比較的に遅い一方で、Ｃ−ＤＲＸモードにおいても、端末によるＰＤＣＣＨ検出の消費電力の比率は、相当高くなっている。
【００１１】
制御チャネル検出は、例えば異なる制御チャネル検出周期や、異なる制御チャネル検出候補個数等、異なるパラメータ設定をサポートしており、パラメータ調整は可能であるが、何れも上位層シグナリングによって調整されるため、調整周期は比較的に長くなる。
【００１２】
ＮＲに一部の省エネルギーメカニズムが導入されたとしても、各端末メーカは、依然として、接続状態での消費電力によって端末の消費電力の大部分が占められると認識している。接続状態での消費電力について、主な消費は、ＰＤＣＣＨのスケジューリング情報を取得するためにＰＤＣＣＨ検出時刻で端末が全てのＰＤＣＣＨ候補をブラインド検出しなければならないところにあり、殆どの場合、端末は、ブラインド検出を行ったが、現在、実際に有効な上りリンク又は下りリンクスケジューリング情報がなく、即ち、基地局から制御チャネルが実際に送信されなかったり、基地局からＰＤＣＣＨ検出の多くの可能性のうち僅か一部だけが送信され、それに、何の事前情報がないままで中断されるため、端末は、ブラインド検出中に多くの電力を消費してしまう。
【００１３】
ＮＢにおけるＷＵＳ設計は、主に、アイドル状態でユーザが無効なＰＤＣＣＨを検出してしまうことによるエネルギー消費問題を解決するためのものである。ＮＲの場合、物理レイヤの省エネルギー技術は、接続状態での省エネルギー技術に重点を置いている。
【００１４】
まず、ＷＵＳによってシステム全帯域幅及び１サブフレーム全体が占用されるという設計は、適用できなくなっており、ＮＲのシステム帯域幅は、数百兆にも及び、全帯域幅を占用すると、オーバーヘッドは、明らかに高すぎる。接続状態について、制御チャネルのスケジューリング頻度は、タイムスロットレベルであるが、アイドル状態について、ページング周期は、数十、数百ミリ秒レベルである。仮に制御チャネルのスケジューリングのたびに、１つのタイムスロットレベル（ＬＴＥの時間領域スケジューリング単位は、サブフレームであり、１５ＫＨｚのサブキャリア間隔を持つ１４個の直交周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、ＮＲの時間領域スケジューリング単位は、タイムスロット又はミニタイムスロットであり、１つのタイムスロットは、サブキャリア間隔の大きさを問わず、１４個のＯＦＤＭシンボルを含む）のウェイクアップ信号を増加した場合でも、そのオーバーヘッドは、耐えられるものではない。
【００１５】
そして、ＮＲの接続状態での制御チャネル検出の複雑さは、例えば検出の頻度、検出される制御チャネル候補個数、検出される帯域幅といった様々な要因によるものである。狭帯域モノのインターネットＮＢ−ＩＯＴ（Ｎａｒｒｏｗ  Ｂａｎｄ  Ｉｎｔｅｒｎｅｔ  ｏｆ  Ｔｈｉｎｇｓ）システムにおけるＷＵＳ設計では、ページングチャネルのＰＤＣＣＨを検出する必要があるかどうかを指示するだけで済む。
【００１６】
また、ＤＲＸを設定した接続状態での省エネルギーについては、パラメータ設定が上位層によって設定されるため、パラメータ調整が柔軟ではなく、省エネルギー効果を迅速に端末のサービス類型に適応させることができない。従って、最適化設計を行う必要がある。
【００１７】
以上を纏めると、ＮＢにおけるＷＵＳ設計は、ＮＲの接続状態での省エネルギー設計需要を満たすことができない。
【発明の概要】
【発明が解決しようとする課題】
【００１８】
本開示の目的は、関連技術におけるウェイクアップ信号の設定がＮＲの接続状態での省エネルギー設計需要を満たすことができないという問題を解決するための指示シグナリングの伝送、受信方法、装置、ネットワーク側機器及び端末を提供することにある。
【課題を解決するための手段】
【００１９】
上記問題を解決するために、本開示の実施例は、ネットワーク側機器に適用される、指示シグナリングの伝送方法であって、
ターゲット物理リソース又はターゲット下りリンク制御チャネル上で指示シグナリングを送信することを包含し、前記指示シグナリングには、少なくとも１つの端末の検出情報が含まれ、前記検出情報には、
次の少なくとも１つの不連続受信ＤＲＸ（Ｄｉｓｃｏｎｔｉｎｕｏｕｓ  Ｒｅｃｅｐｔｉｏｎ）周期内のアクティブ状態を指示するための第一指示情報と、
次の少なくとも１つのＤＲＸ周期におけるＤＲＸパラメータの設定を指示するための第二指示情報と、
検出すべき下りリンク制御チャネルの検出状態情報を指示するための第三指示情報と、
次の少なくとも１つのページング機会の検出状態を指示するための第四指示情報とのうち、少なくとも１つが含まれる、指示シグナリングの伝送方法を提供している。
【００２０】
上記伝送方法において、ターゲット物理リソースには、
タイムスロットの最初の直交周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル、及び／又は、
下りリンク制御チャネルを伝送する制御チャネルリソース集合の位置するＯＦＤＭシンボルが含まれる。
【００２１】
上記伝送方法において、ターゲット下りリンク制御チャネルには、
共通制御情報を搬送する制御チャネル及び／又は端末専用制御情報を搬送する制御チャネルが含まれる。
【００２２】
上記伝送方法において、前記のターゲット物理リソース又はターゲット下りリンク制御チャネル上で指示シグナリングを送信することは、
情報ビットと符号化ビットとがマッピング関係を持つ符号化方式を用いて、指示シグナリングを符号化し、及び／又は、情報ビットが繰り返されるチャネル符号化方式か或いは符号レートの低いチャネル符号化方式を用いて、前記指示シグナリングを符号化することと、
前記ターゲット物理リソース又はターゲット下りリンク制御チャネル上で、符号化後の前記指示シグナリングを送信することとを包含する。
【００２３】
上記伝送方法において、前記ターゲット物理リソース又はターゲット下りリンク制御チャネル上で、シーケンスによって前記指示シグナリングを搬送する。
【００２４】
上記伝送方法において、ターゲット物理リソースの周波数領域リソースマッピング単位は、
下りリンク制御チャネルのリソース要素グループＲＥＧ（Ｒｅｓｏｕｒｃｅ  Ｅｌｅｍｅｎｔ  Ｇｒｏｕｐ）、又は、
Ｎ（Ｎは、１以上の整数）個のリソースブロックＲＢ（Ｒｅｓｏｕｒｃｅ  Ｂｌｏｃｋ）である。
【００２５】
上記伝送方法において、ターゲット物理リソースの周波数領域リソース位置は、事前定義の方式、又はネットワーク側シグナリングによる設定の方式で特定され、
及び／又は、ターゲット物理リソースの時間領域ＯＦＤＭシンボルの位置は、事前定義の方式、又はネットワーク側シグナリングによる設定の方式で特定される。
【００２６】
上記伝送方法において前記指示シグナリングに第一指示情報が含まれる場合、
前記第一指示情報によって指示される次の少なくとも１つの不連続受信ＤＲＸ周期内のアクティブ状態は、
次の少なくとも１つのＤＲＸ周期内で所定条件が満たされた場合、不連続受信−持続時間タイマｄｒｘ−ｏｎＤｕｒａｔｉｏｎＴｉｍｅｒをスタートさせるかどうかの情報と、
次の少なくとも１つのＤＲＸ周期のアクティブ期間内で、下りリンク制御チャネルを検出するかどうかの情報と、
次の少なくとも１つのＤＲＸ周期内で所定条件が満たされた場合、ｄｒｘ−ｏｎＤｕｒａｔｉｏｎＴｉｍｅｒをスタートさせる旨と、
次の少なくとも１つのＤＲＸ周期のアクティブ期間内で、下りリンク制御チャネルを検出する旨とのうち、少なくとも１つを含み、
そのうち、所定条件は、
不連続受信−短周期ｄｒｘ−ＳｈｏｒｔＣｙｃｌｅの場合、第一制約関係を満たすサブフレームの開始位置から、不連続受信−タイムスロットオフセットｄｒｘ−ＳｌｏｔＯｆｆｓｅｔパラメータによって示される時間の後が表す時間位置であることと、
不連続受信−長周期ｄｒｘ−ＬｏｎｇＣｙｃｌｅの場合、第二制約関係を満たすサブフレームの開始位置から、不連続受信−タイムスロットオフセットｄｒｘ−ＳｌｏｔＯｆｆｓｅｔパラメータによって示される時間の後が表す時間位置であることとのうち、少なくとも１つを含む。
【００２７】
上記伝送方法において、前記指示シグナリングに前記第二指示情報が含まれる場合、
ＤＲＸパラメータ設定が上位層シグナリングによって複数セット設定されていれば、前記第二指示情報は、前記上位層シグナリングによって設定された複数セットのＤＲＸパラメータ設定のうち、１セットのＤＲＸパラメータ設定が、ＤＲＸ周期に適用されるＤＲＸパラメータ設定であることを指示し、
ＤＲＸパラメータ設定が上位層シグナリングによって１セット設定されていれば、前記第二指示情報は、スケーリングファクタを指示し、ＤＲＸ周期に適用されるＤＲＸパラメータは、前記上位層シグナリングによって設定されたＤＲＸパラメータ設定と、前記スケーリングファクタとによって特定される。
【００２８】
上記伝送方法において、前記指示シグナリングに前記第三指示情報が含まれる場合、前記第三指示情報は、下記の情報、即ち、
検出すべきサーチスペースの類型と、
検出すべきサーチスペースの候補と、
検出すべきサーチスペース集合と、
検出すべきサーチスペースの無線ネットワーク一時識別子ＲＮＴＩ（Ｒａｄｉｏ  Ｎｅｔｗｏｒｋ  Ｔｅｍｐｏｒａｒｙ  Ｉｄｅｎｔｉｆｉｅｒ）の類型と、
検出すべき下りリンク制御情報のフォーマットと、
検出すべき下りリンク制御情報の長さとのうち、少なくとも１つの情報の値によって、検出すべき下りリンク制御チャネルの検出状態情報を指示する。
【００２９】
上記伝送方法において、検出すべきサーチスペースの類型は、共通サーチスペース及び／又は端末専用のサーチスペースを含む。
【００３０】
上記伝送方法において、検出すべきサーチスペース集合の値は、検出すべきサーチスペース集合のグループのインデックス、及び／又は、検出すべきサーチスペース集合のインデックスを含み、
ここで、検出すべきサーチスペース集合のグループには、少なくとも２つの検出すべきサーチスペース集合が含まれる。
【００３１】
上記伝送方法において、検出すべきサーチスペースの候補の値は、検出すべきサーチスペースの候補の比率値と、検出すべきサーチスペースの候補の集約レベルと、検出すべきサーチスペースの候補の集約レベルのグループの識別子とのうち、少なくとも１つを含み、
そのうち、検出すべきサーチスペースの候補の集約レベルのグループには、検出すべきサーチスペースの候補の少なくとも２つの集約レベルが含まれる。
【００３２】
上記伝送方法において、前記指示シグナリングは、共通指示シグナリング又は端末専用指示シグナリングである。
【００３３】
上記伝送方法において、前記指示シグナリングが共通指示シグナリングの場合、
異なる端末の検出情報は、前記指示シグナリングにおける同じビット又は異なるビットに対応する。
【００３４】
本開示の実施例は、端末に適用される、指示シグナリングの受信方法であって、
ネットワーク側機器からターゲット物理リソース又はターゲット下りリンク制御チャネル上で送信された指示シグナリングを受信することを包含し、前記指示シグナリングには、少なくとも１つの端末の検出情報が含まれ、前記検出情報には、
次の少なくとも１つの不連続受信ＤＲＸ周期内のアクティブ状態を指示するための第一指示情報と、
次の少なくとも１つのＤＲＸ周期におけるＤＲＸパラメータの設定を指示するための第二指示情報と、
検出すべき下りリンク制御チャネルの検出状態情報を指示するための第三指示情報と、
次の少なくとも１つのページング機会の検出状態を指示するための第四指示情報とのうち、少なくとも１つが含まれる、指示シグナリングの受信方法を更に提供している。
【００３５】
上記受信方法において、ターゲット物理リソースには、
タイムスロットの最初の直交周波数分割多重ＯＦＤＭシンボル、及び／又は、
下りリンク制御チャネルを伝送する制御チャネルリソース集合の位置するＯＦＤＭシンボルが含まれる。
【００３６】
上記受信方法において、ターゲット下りリンク制御チャネルには、
共通制御情報を搬送する制御チャネル及び／又は端末専用制御情報を搬送する制御チャネルが含まれる。
【００３７】
上記受信方法において、前記のネットワーク側機器からターゲット物理リソース又はターゲット下りリンク制御チャネル上で送信された指示シグナリングを受信することは、
ネットワーク側機器からターゲット物理リソース又はターゲット下りリンク制御チャネル上で送信された符号化後の指示シグナリングを受信することを含み、
前記ネットワーク側機器によって、情報ビットと符号化ビットとがマッピング関係を持つ符号化方式を用いて、指示シグナリングが符号化され、及び／又は、情報ビットが繰り返される符号化方式か或いは符号レートの低いチャネル符号化方式を用いて、前記指示シグナリングが符号化される。
【００３８】
上記受信方法において、前記ターゲット物理リソース又はターゲット下りリンク制御チャネル上で、シーケンスによって前記指示シグナリングを搬送する。
【００３９】
上記受信方法において、ターゲット物理リソースの周波数領域リソースマッピング単位は、
下りリンク制御チャネルのリソース要素グループＲＥＧ、又は、
Ｎ（Ｎは、１以上の整数）個のリソースブロックＲＢである。
【００４０】
上記受信方法において、ターゲット物理リソースの周波数領域リソース位置は、事前定義の方式、又はネットワーク側シグナリングによる設定の方式で特定され、
及び／又は、ターゲット物理リソースの時間領域ＯＦＤＭシンボルの位置は、事前定義の方式、又はネットワーク側シグナリングによる設定の方式で特定される。
【００４１】
上記受信方法において、前記指示シグナリングに第一指示情報が含まれる場合、
前記第一指示情報によって指示される次の少なくとも１つの不連続受信ＤＲＸ周期内のアクティブ状態は、
次の少なくとも１つのＤＲＸ周期内で所定条件が満たされた場合、不連続受信−持続時間タイマｄｒｘ−ｏｎＤｕｒａｔｉｏｎＴｉｍｅｒをスタートさせるかどうかの情報と、
次の少なくとも１つのＤＲＸ周期のアクティブ期間内で、下りリンク制御チャネルを検出するかどうかの情報と、
次の少なくとも１つのＤＲＸ周期内で所定条件が満たされた場合、ｄｒｘ−ｏｎＤｕｒａｔｉｏｎＴｉｍｅｒをスタートさせる旨と、
次の少なくとも１つのＤＲＸ周期のアクティブ期間内で、下りリンク制御チャネルを検出する旨とのうち、少なくとも１つを含み、
そのうち、所定条件は、
不連続受信−短周期ｄｒｘ−ＳｈｏｒｔＣｙｃｌｅの場合、第一制約関係を満たすサブフレームの開始位置から、不連続受信−タイムスロットオフセットｄｒｘ−ＳｌｏｔＯｆｆｓｅｔパラメータによって示される時間の後が表す時間位置であることと、
不連続受信−長周期ｄｒｘ−ＬｏｎｇＣｙｃｌｅの場合、第二制約関係を満たすサブフレームの開始位置から、不連続受信−タイムスロットオフセットｄｒｘ−ＳｌｏｔＯｆｆｓｅｔパラメータによって示される時間の後が表す時間位置であることとのうち、少なくとも１つを含む。
【００４２】
上記受信方法において、前記指示シグナリングに前記第二指示情報が含まれる場合、
ＤＲＸパラメータ設定が上位層シグナリングによって複数セット設定されていれば、前記第二指示情報は、前記上位層シグナリングによって設定された複数セットのＤＲＸパラメータ設定のうち、１セットのＤＲＸパラメータ設定が、ＤＲＸ周期に適用されるＤＲＸパラメータ設定であることを指示し、
ＤＲＸパラメータ設定が上位層シグナリングによって１セット設定されていれば、前記第二指示情報は、スケーリングファクタを指示し、ＤＲＸ周期に適用されるＤＲＸパラメータは、前記上位層シグナリングによって設定されたＤＲＸパラメータ設定と、前記スケーリングファクタとによって特定される。
【００４３】
上記受信方法において、前記指示シグナリングに前記第三指示情報が含まれる場合、前記第三指示情報は、下記の情報、即ち、
検出すべきサーチスペースの類型と、
検出すべきサーチスペースの候補と、
検出すべきサーチスペース集合と、
検出すべきサーチスペースの無線ネットワーク一時識別子ＲＮＴＩの類型と、
検出すべき下りリンク制御情報のフォーマットと、
検出すべき下りリンク制御情報の長さとのうち、少なくとも１つの情報の値によって、検出すべき下りリンク制御チャネルの検出状態情報を指示する。
【００４４】
上記受信方法において、検出すべきサーチスペースの類型は、共通サーチスペース及び／又は端末専用のサーチスペースを含む。
【００４５】
上記受信方法において、検出すべきサーチスペース集合の値は、検出すべきサーチスペース集合のグループのインデックス、及び／又は、検出すべきサーチスペース集合のインデックスを含み、
そのうち、検出すべきサーチスペース集合のグループには、少なくとも２つの検出すべきサーチスペース集合が含まれる。
【００４６】
上記受信方法において、検出すべきサーチスペースの候補の値は、検出すべきサーチスペースの候補の比率値と、検出すべきサーチスペースの候補の集約レベルと、検出すべきサーチスペースの候補の集約レベルのグループの識別子とのうち、少なくとも１つを含み、
ここで、検出すべきサーチスペースの候補の集約レベルのグループには、検出すべきサーチスペースの候補の少なくとも２つの集約レベルが含まれる。
【００４７】
上記受信方法において、前記指示シグナリングは、共通指示シグナリング又は端末専用指示シグナリングである。
【００４８】
上記受信方法において、前記指示シグナリングが共通指示シグナリングの場合、
異なる端末の検出情報は、前記指示シグナリングにおける同じビット又は異なるビットに対応する。
【００４９】
本開示の実施例は、ネットワーク側機器に適用される、指示シグナリングの伝送装置であって、
ターゲット物理リソース又はターゲット下りリンク制御チャネル上で指示シグナリングを送信するための送信モジュールを含み、前記指示シグナリングには、少なくとも１つの端末の検出情報が含まれ、前記検出情報には、
次の少なくとも１つの不連続受信ＤＲＸ周期内のアクティブ状態を指示するための第一指示情報と、
次の少なくとも１つのＤＲＸ周期におけるＤＲＸパラメータの設定を指示するための第二指示情報と、
検出すべき下りリンク制御チャネルの検出状態情報を指示するための第三指示情報と、
次の少なくとも１つのページング機会の検出状態を指示するための第四指示情報とのうち、少なくとも１つが含まれる、指示シグナリングの伝送装置を更に提供している。
【００５０】
本開示の実施例は、プロセッサ及びトランシーバを含むネットワーク側機器であって、前記プロセッサは、
ターゲット物理リソース又はターゲット下りリンク制御チャネル上で指示シグナリングを送信する手順を前記トランシーバに実行させるように制御するためのものであり、前記指示シグナリングには、少なくとも１つの端末の検出情報が含まれ、前記検出情報には、
次の少なくとも１つの不連続受信ＤＲＸ（Ｄｉｓｃｏｎｔｉｎｕｏｕｓ  Ｒｅｃｅｐｔｉｏｎ）周期内のアクティブ状態を指示するための第一指示情報と、
次の少なくとも１つのＤＲＸ周期におけるＤＲＸパラメータの設定を指示するための第二指示情報と、
検出すべき下りリンク制御チャネルの検出状態情報を指示するための第三指示情報と、
次の少なくとも１つのページング機会の検出状態を指示するための第四指示情報とのうち、少なくとも１つが含まれる、ネットワーク側機器を更に提供している。
【００５１】
上記ネットワーク側機器において、ターゲット物理リソースには、
タイムスロットの最初の直交周波数分割多重ＯＦＤＭシンボル、及び／又は、
下りリンク制御チャネルを伝送する制御チャネルリソース集合の位置するＯＦＤＭシンボルが含まれる。
【００５２】
上記ネットワーク側機器において、ターゲット下りリンク制御チャネルには、
共通制御情報を搬送する制御チャネル及び／又は端末専用制御情報を搬送する制御チャネルが含まれる。
【００５３】
上記ネットワーク側機器において、前記プロセッサは、
情報ビットと符号化ビットとがマッピング関係を持つ符号化方式を用いて、指示シグナリングを符号化し、及び／又は、情報ビットが繰り返されるチャネル符号化方式か或いは符号レートの低いチャネル符号化方式を用いて、前記指示シグナリングを符号化するために更に用いられ、
前記トランシーバは、
前記ターゲット物理リソース又はターゲット下りリンク制御チャネル上で、符号化後の前記指示シグナリングを送信するために更に用いられる。
【００５４】
上記ネットワーク側機器において、前記プロセッサは、
前記ターゲット物理リソース又はターゲット下りリンク制御チャネル上で、シーケンスによって前記指示シグナリングを搬送するために更に用いられる。
【００５５】
上記ネットワーク側機器において、ターゲット物理リソースの周波数領域リソースマッピング単位は、
下りリンク制御チャネルのリソース要素グループＲＥＧ、又は、
Ｎ（Ｎは、１以上の整数）個のリソースブロックＲＢである。
【００５６】
上記ネットワーク側機器において、ターゲット物理リソースの周波数領域リソース位置は、事前定義の方式、又はネットワーク側シグナリングによる設定の方式で特定され、
及び／又は、ターゲット物理リソースの時間領域ＯＦＤＭシンボルの位置は、事前定義の方式、又はネットワーク側シグナリングによる設定の方式で特定される。
【００５７】
上記ネットワーク側機器において、前記指示シグナリングに第一指示情報が含まれる場合、
前記第一指示情報によって指示される次の少なくとも１つの不連続受信ＤＲＸ周期内のアクティブ状態は、
次の少なくとも１つのＤＲＸ周期内で所定条件が満たされた場合、不連続受信−持続時間タイマｄｒｘ−ｏｎＤｕｒａｔｉｏｎＴｉｍｅｒをスタートさせるかどうかの情報と、
次の少なくとも１つのＤＲＸ周期のアクティブ期間内で、下りリンク制御チャネルを検出するかどうかの情報と、
次の少なくとも１つのＤＲＸ周期内で所定条件が満たされた場合、ｄｒｘ−ｏｎＤｕｒａｔｉｏｎＴｉｍｅｒをスタートさせる旨と、
次の少なくとも１つのＤＲＸ周期のアクティブ期間内で、下りリンク制御チャネルを検出する旨とのうち、少なくとも１つを含み、
そのうち、所定条件は、
不連続受信−短周期ｄｒｘ−ＳｈｏｒｔＣｙｃｌｅの場合、第一制約関係を満たすサブフレームの開始位置から、不連続受信−タイムスロットオフセットｄｒｘ−ＳｌｏｔＯｆｆｓｅｔパラメータによって示される時間の後が表す時間位置であることと、
不連続受信−長周期ｄｒｘ−ＬｏｎｇＣｙｃｌｅの場合、第二制約関係を満たすサブフレームの開始位置から、不連続受信−タイムスロットオフセットｄｒｘ−ＳｌｏｔＯｆｆｓｅｔパラメータによって示される時間の後が表す時間位置であることとのうち、少なくとも１つを含む。
【００５８】
上記ネットワーク側機器において、前記指示シグナリングに前記第二指示情報が含まれる場合、
ＤＲＸパラメータ設定が上位層シグナリングによって複数セット設定されていれば、前記第二指示情報は、前記上位層シグナリングによって設定された複数セットのＤＲＸパラメータ設定のうち、１セットのＤＲＸパラメータ設定が、ＤＲＸ周期に適用されるＤＲＸパラメータ設定であることを指示し、
ＤＲＸパラメータ設定が上位層シグナリングによって１セット設定されていれば、前記第二指示情報は、スケーリングファクタを指示し、ＤＲＸ周期に適用されるＤＲＸパラメータは、前記上位層シグナリングによって設定されたＤＲＸパラメータ設定と、前記スケーリングファクタとによって特定される。
【００５９】
上記ネットワーク側機器において、前記指示シグナリングに前記第三指示情報が含まれる場合、前記第三指示情報は、下記の情報、即ち、
検出すべきサーチスペースの類型と、
検出すべきサーチスペースの候補と、
検出すべきサーチスペース集合と、
検出すべきサーチスペースの無線ネットワーク一時識別子ＲＮＴＩの類型と、
検出すべき下りリンク制御情報のフォーマットと、
検出すべき下りリンク制御情報の長さとのうち、少なくとも１つの情報の値によって、検出すべき下りリンク制御チャネルの検出状態情報を指示する。
【００６０】
上記ネットワーク側機器において、検出すべきサーチスペースの類型は、共通サーチスペース及び／又は端末専用のサーチスペースを含む。
【００６１】
上記ネットワーク側機器において、検出すべきサーチスペース集合の値は、検出すべきサーチスペース集合のグループのインデックス、及び／又は、検出すべきサーチスペース集合のインデックスを含み、
ここで、検出すべきサーチスペース集合のグループには、少なくとも２つの検出すべきサーチスペース集合が含まれる。
【００６２】
上記ネットワーク側機器において、検出すべきサーチスペースの候補の値は、検出すべきサーチスペースの候補の比率値と、検出すべきサーチスペースの候補の集約レベルと、検出すべきサーチスペースの候補の集約レベルのグループの識別子とのうち、少なくとも１つを含み、
ここで、検出すべきサーチスペースの候補の集約レベルのグループには、検出すべきサーチスペースの候補の少なくとも２つの集約レベルが含まれる。
【００６３】
上記ネットワーク側機器において、前記指示シグナリングは、共通指示シグナリング又は端末専用指示シグナリングである。
【００６４】
上記ネットワーク側機器において、前記指示シグナリングが共通指示シグナリングの場合、
異なる端末の検出情報は、前記指示シグナリングにおける同じビット又は異なるビットに対応する。
【００６５】
本開示の実施例は、端末に適用される、指示シグナリングの受信装置であって、
ネットワーク側機器からターゲット物理リソース又はターゲット下りリンク制御チャネル上で送信された指示シグナリングを受信するための受信モジュールを含み、前記指示シグナリングには、少なくとも１つの端末の検出情報が含まれ、前記検出情報には、
次の少なくとも１つの不連続受信ＤＲＸ周期内のアクティブ状態を指示するための第一指示情報と、
次の少なくとも１つのＤＲＸ周期におけるＤＲＸパラメータの設定を指示するための第二指示情報と、
検出すべき下りリンク制御チャネルの検出状態情報を指示するための第三指示情報と、
次の少なくとも１つのページング機会の検出状態を指示するための第四指示情報とのうち、少なくとも１つが含まれる、指示シグナリングの受信装置を更に提供している。
【００６６】
本開示の実施例は、プロセッサ及びトランシーバを含む端末であって、前記プロセッサは、
ネットワーク側機器からターゲット物理リソース又はターゲット下りリンク制御チャネル上で送信された指示シグナリングを受信する手順を前記トランシーバに実行させるように制御するためのものであり、前記指示シグナリングには、少なくとも１つの端末の検出情報が含まれ、前記検出情報には、
次の少なくとも１つの不連続受信ＤＲＸ周期内のアクティブ状態を指示するための第一指示情報と、
次の少なくとも１つのＤＲＸ周期におけるＤＲＸパラメータの設定を指示するための第二指示情報と、
検出すべき下りリンク制御チャネルの検出状態情報を指示するための第三指示情報と、
次の少なくとも１つのページング機会の検出状態を指示するための第四指示情報とのうち、少なくとも１つが含まれる、端末を更に提供している。
【００６７】
上記端末において、ターゲット物理リソースには、
タイムスロットの最初の直交周波数分割多重ＯＦＤＭシンボル、及び／又は、
下りリンク制御チャネルを伝送する制御チャネルリソース集合の位置するＯＦＤＭシンボルが含まれる。
【００６８】
上記端末において、ターゲット下りリンク制御チャネルには、
共通制御情報を搬送する制御チャネル及び／又は端末専用制御情報を搬送する制御チャネルが含まれる。
【００６９】
上記端末において、前記トランシーバは、
ネットワーク側機器からターゲット物理リソース又はターゲット下りリンク制御チャネル上で送信された符号化後の指示シグナリングを受信するために更に用いられ、
前記ネットワーク側機器によって、情報ビットと符号化ビットとがマッピング関係を持つ符号化方式を用いて、指示シグナリングが符号化され、及び／又は、情報ビットが繰り返される符号化方式か或いは符号レートの低いチャネル符号化方式を用いて、前記指示シグナリングが符号化される。
【００７０】
上記端末において、前記ターゲット物理リソース又はターゲット下りリンク制御チャネル上で、シーケンスによって前記指示シグナリングを搬送する。
【００７１】
上記端末において、ターゲット物理リソースの周波数領域リソースマッピング単位は、
下りリンク制御チャネルのリソース要素グループＲＥＧ、又は、
Ｎ（Ｎは、１以上の整数）個のリソースブロックＲＢである。
【００７２】
上記端末において、ターゲット物理リソースの周波数領域リソース位置は、事前定義の方式、又はネットワーク側シグナリングによる設定の方式で特定され、
及び／又は、ターゲット物理リソースの時間領域ＯＦＤＭシンボルの位置は、事前定義の方式、又はネットワーク側シグナリングによる設定の方式で特定される。
【００７３】
上記端末において、前記指示シグナリングに第一指示情報が含まれる場合、
前記第一指示情報によって指示される次の少なくとも１つの不連続受信ＤＲＸ周期内のアクティブ状態は、
次の少なくとも１つのＤＲＸ周期内で所定条件が満たされた場合、不連続受信−持続時間タイマｄｒｘ−ｏｎＤｕｒａｔｉｏｎＴｉｍｅｒをスタートさせるかどうかの情報と、
次の少なくとも１つのＤＲＸ周期のアクティブ期間内で、下りリンク制御チャネルを検出するかどうかの情報と、
次の少なくとも１つのＤＲＸ周期内で所定条件が満たされた場合、ｄｒｘ−ｏｎＤｕｒａｔｉｏｎＴｉｍｅｒをスタートさせる旨と、
次の少なくとも１つのＤＲＸ周期のアクティブ期間内で、下りリンク制御チャネルを検出する旨とのうち、少なくとも１つを含み、
そのうち、所定条件は、
不連続受信−短周期ｄｒｘ−ＳｈｏｒｔＣｙｃｌｅの場合、第一制約関係を満たすサブフレームの開始位置から、不連続受信−タイムスロットオフセットｄｒｘ−ＳｌｏｔＯｆｆｓｅｔパラメータによって示される時間の後が表す時間位置であることと、
不連続受信−長周期ｄｒｘ−ＬｏｎｇＣｙｃｌｅの場合、第二制約関係を満たすサブフレームの開始位置から、不連続受信−タイムスロットオフセットｄｒｘ−ＳｌｏｔＯｆｆｓｅｔパラメータによって示される時間の後が表す時間位置であることとのうち、少なくとも１つを含む。
【００７４】
上記端末において、前記指示シグナリングに前記第二指示情報が含まれる場合、
ＤＲＸパラメータ設定が上位層シグナリングによって複数セット設定されていれば、前記第二指示情報は、前記上位層シグナリングによって設定された複数セットのＤＲＸパラメータ設定のうち、１セットのＤＲＸパラメータ設定が、ＤＲＸ周期に適用されるＤＲＸパラメータ設定であることを指示し、
ＤＲＸパラメータ設定が上位層シグナリングによって１セット設定されていれば、前記第二指示情報は、スケーリングファクタを指示し、ＤＲＸ周期に適用されるＤＲＸパラメータは、前記上位層シグナリングによって設定されたＤＲＸパラメータ設定と、前記スケーリングファクタとによって特定される。
【００７５】
上記端末において、前記指示シグナリングに前記第三指示情報が含まれる場合、前記第三指示情報は、下記の情報、即ち、
検出すべきサーチスペースの類型と、
検出すべきサーチスペースの候補と、
検出すべきサーチスペース集合と、
検出すべきサーチスペースの無線ネットワーク一時識別子ＲＮＴＩの類型と、
検出すべき下りリンク制御情報のフォーマットと、
検出すべき下りリンク制御情報の長さとのうち、少なくとも１つの情報の値によって、検出すべき下りリンク制御チャネルの検出状態情報を指示する。
【００７６】
上記端末において、検出すべきサーチスペースの類型は、共通サーチスペース及び／又は端末専用のサーチスペースを含む。
【００７７】
上記端末において、検出すべきサーチスペース集合の値は、検出すべきサーチスペース集合のグループのインデックス、及び／又は、検出すべきサーチスペース集合のインデックスを含み、
そのうち、検出すべきサーチスペース集合のグループには、少なくとも２つの検出すべきサーチスペース集合が含まれる。
【００７８】
上記端末において、検出すべきサーチスペースの候補の値は、検出すべきサーチスペースの候補の比率値と、検出すべきサーチスペースの候補の集約レベルと、検出すべきサーチスペースの候補の集約レベルのグループの識別子とのうち、少なくとも１つを含み、
ここで、検出すべきサーチスペースの候補の集約レベルのグループには、検出すべきサーチスペースの候補の少なくとも２つの集約レベルが含まれる。
【００７９】
上記端末において、前記指示シグナリングは、共通指示シグナリング又は端末専用指示シグナリングである。
【００８０】
上記端末において、前記指示シグナリングが共通指示シグナリングの場合、
異なる端末の検出情報は、前記指示シグナリングにおける同じビット又は異なるビットに対応する。
【００８１】
本開示の実施例は、コンピュータプログラムを記憶したコンピュータ記憶媒体であって、当該プログラムがプロセッサによって実行されると、上記に記載の指示シグナリングの伝送方法が実現されるか、或いは、当該プログラムがプロセッサによって実行されると、上記に記載の指示シグナリングの受信方法が実現される、コンピュータ読取可能な記憶媒体を更に提供している。
【発明の効果】
【００８２】
本開示の上記技術案は、少なくとも以下の有益な効果を有する。
本開示の実施例に係わる指示シグナリングの伝送、受信方法、装置、ネットワーク側機器及び端末では、ターゲット物理リソース又はターゲット下りリンク制御チャネル上で端末の検出情報を動的に指示することによって、端末がその対応する検出情報に従って下りリンク制御チャネルの検出を行うようにし、省エネルギーの目的を達成している。
【図面の簡単な説明】
【００８３】
【図１】関連技術におけるウェイクアップ信号ＷＵＳの原理を示す模式図である。
【図２】本開示の実施例による指示シグナリングの伝送方法のステップを示す模式図である。
【図３】本開示の実施例による指示シグナリングの時間周波数領域位置を示す模式図その一である。
【図４】本開示の実施例による指示シグナリングの時間周波数領域位置を示す模式図その二である。
【図５】本開示の実施例による指示シグナリングの受信方法のステップを示す模式図である。
【図６】本開示の実施例による指示シグナリングの伝送装置の構造を示す模式図である。
【図７】本開示の実施例によるネットワーク側機器の構造を示す模式図である。
【図８】本開示の実施例による指示シグナリングの受信装置の構造を示す模式図である。
【図９】本開示の実施例による端末の構造を示す模式図である。
【発明を実施するための形態】
【００８４】
本開示の解決しようとする課題、技術案及び利点をより明確にするために、以下、図面及び具体的な実施例を通じて詳しく説明する。
【００８５】
図２に示すように、本開示の実施例は、ネットワーク側機器に適用される、指示シグナリングの伝送方法であって、
ターゲット物理リソース又はターゲット下りリンク制御チャネル上で指示シグナリングを送信するステップ２１を包含し、前記指示シグナリングには、少なくとも１つの端末の検出情報が含まれ、前記検出情報には、
次の少なくとも１つの不連続受信ＤＲＸ（Ｄｉｓｃｏｎｔｉｎｕｏｕｓ  Ｒｅｃｅｐｔｉｏｎ）周期内のアクティブ状態を指示するための第一指示情報と、
次の少なくとも１つのＤＲＸ周期におけるＤＲＸパラメータの設定を指示するための第二指示情報と、
検出すべき下りリンク制御チャネルの検出状態情報を指示するための第三指示情報と、
次の少なくとも１つのページング機会の検出状態を指示するための第四指示情報とのうち、少なくとも１つが含まれる、指示シグナリングの伝送方法を提供している。
【００８６】
本開示の上記実施例において、指示シグナリングによって、少なくとも１つの端末の検出情報（又は、検出パラメータと呼ばれる）を指示し、当該指示情報は、ターゲット物理リソースによって搬送されてもよいし、ターゲット下りリンク制御チャネルによって搬送されてもよく、端末は、指示シグナリングの指示に基づいて制御チャネル検出を行い、不要な検出が減少される。
【００８７】
一実施例として、ターゲット物理リソースによって指示シグナリングが搬送される場合、当該指示シグナリングには、例えば情報ビットと符号化ビットとが直接のマッピング関係を持つ符号化方式（例えばテーブルによってそのマッピング関係がリストアップされる）といった簡単な符号化が用いられ、制御チャネルのようにＰｏｌａｒ符号化を行う必要がなく、別の一例として、情報ビットが繰り返される符号化方式や、符号レートの低い他の符号化方式が用いられる。
【００８８】
即ち、上記ステップ２１は、
情報ビットと符号化ビットとがマッピング関係を持つ符号化方式を用いて、指示シグナリングを符号化し、及び／又は、情報ビットが繰り返される符号化方式か或いは符号レートの低いチャネル符号化方式を用いて、前記指示シグナリングを符号化することと、
前記ターゲット物理リソース又はターゲット下りリンク制御チャネル上で、符号化後の前記指示シグナリングを送信することとを包含する。
【００８９】
さらには、ターゲット物理リソースの時間領域ＯＦＤＭシンボルの位置は、
タイムスロットの最初の直交周波数分割多重ＯＦＤＭシンボル（即ち、ターゲット物理リソースは、タイムスロットの１個目のＯＦＤＭシンボルにマッピングされる）、及び／又は、
下りリンク制御チャネルを伝送する制御チャネルリソース集合ＣＯＲＥＳＥＴ（Ｃｏｎｔｒｏｌ  Ｒｅｓｏｕｒｃｅ  Ｓｅｔ）の位置するＯＦＤＭシンボル（即ち、ターゲット物理リソースは、下りリンク制御チャネルを伝送するＣＯＲＥＳＥＴの位置するＯＦＤＭシンボルにマッピングされる）を含む。
【００９０】
なお、ＣＯＲＥＳＥＴは、その時間領域での持続シンボル個数が最大３個のＯＦＤＭシンボルであり、時間領域での開始位置がサーチスペース設定によって特定される。
【００９１】
更になお、ターゲット物理リソースは、下りリンク制御チャネルを伝送するＣＯＲＥＳＥＴの位置する全てのＯＦＤＭシンボルにマッピングされてもよいし、下りリンク制御チャネルを伝送するＣＯＲＥＳＥＴの位置する一部のＯＦＤＭシンボルにマッピングされてもよい。
【００９２】
具体的に、本開示の上記実施例において、ターゲット物理リソースの周波数領域リソースマッピング単位は、
下りリンク制御チャネルのリソース要素グループＲＥＧ（Ｒｅｓｏｕｒｃｅ  Ｅｌｅｍｅｎｔ  Ｇｒｏｕｐ）、又は、
Ｎ（Ｎは、１以上の整数）個のリソースブロックＲＢである。選択的に、Ｎ＝６である。上位層は、リソースの粒度を６ＲＢにして、当該ターゲット物理リソースが割り当てられる周波数領域位置を複数のビットによって指示する。マッピングユニットとして６ＲＢを用いる利点は、制御チャネルリソース集合ＣＯＲＥＳＥＴ（ｃｏｎｔｒｏｌ  ｒｅｓｏｕｒｃｅ  ｓｅｔ）のリソース割当と互換性を持てることにある。その理由として、ＣＯＲＥＳＥＴの周波数領域リソース割当は、６ＰＲＢを１グループとするリソースグループがＣＯＲＥＳＥＴに割り当てられるかどうかをビットマップ（ｂｉｔｍａｐ）の形式で指示するからである。
【００９３】
図３に示すように、ターゲット物理リソースは、タイムスロットの最初のシンボルにマッピングされて、６ＲＢを周波数領域リソースマッピングユニットとしている。図４に示すように、ターゲット物理リソースは、下りリンク制御チャネルを伝送するＣＯＲＥＳＥＴの位置するＯＦＤＭシンボルにマッピングされて、６ＲＢを周波数領域リソースマッピングユニットとしている。
【００９４】
なお、上記ターゲット物理リソースの周波数領域リソース位置は、事前定義の方式、又はネットワーク側シグナリングによる設定の方式で特定され、及び／又は、上記ターゲット物理リソースの時間領域ＯＦＤＭシンボルの位置は、事前定義の方式、又はネットワーク側シグナリングによる設定の方式で特定される。
【００９５】
別の一実施例として、ターゲット下りリンク制御チャネルによって指示シグナリングが搬送される場合、当該ターゲット下りリンク制御チャネルには、
共通制御情報を搬送する制御チャネル及び／又は端末専用制御情報を搬送する制御チャネルが含まれる。
【００９６】
共通制御チャネルの検出候補が少なく、且つ候補のサーチスペースでの位置が決まっているため、それ自体の検出複雑さが低い。
【００９７】
さらには、本開示の上記実施例において、前記ターゲット物理リソース又はターゲット下りリンク制御チャネル上で、シーケンスによって前記指示シグナリングを搬送する。即ち、前記ターゲット物理リソース又はターゲット下りリンク制御チャネル上にシーケンスが搬送され、シーケンスによって、その指示シグナリングが識別される。異なる端末の指示シグナリングについては、異なる直交符号で区別し、同じ伝送リソース上で伝送することが可能である。
【００９８】
なお、本開示の上記実施例による指示シグナリングには、第一指示情報、第二指示情報、第三指示情報及び第四指示情報のうち、少なくとも１つが含まれる。
【００９９】
第一態様として、前記指示シグナリングに第一指示情報が含まれる場合、
前記第一指示情報によって指示される次の少なくとも１つの不連続受信ＤＲＸ（Ｄｉｓｃｏｎｔｉｎｕｏｕｓ  Ｒｅｃｅｐｔｉｏｎ）周期内のアクティブ状態は、
次の少なくとも１つのＤＲＸ周期内で所定条件が満たされた場合、不連続受信−持続時間タイマｄｒｘ−ｏｎＤｕｒａｔｉｏｎＴｉｍｅｒをスタートさせるかどうかの情報と、
次の少なくとも１つのＤＲＸ周期のアクティブ期間内で、下りリンク制御チャネル（例えばＰＤＣＣＨ）を検出するかどうかの情報と、
次の少なくとも１つのＤＲＸ周期内で所定条件が満たされた場合、ｄｒｘ−ｏｎＤｕｒａｔｉｏｎＴｉｍｅｒをスタートさせる旨、即ち、端末は、当該情報を検出したら、ｄｒｘ−ｏｎＤｕｒａｔｉｏｎＴｉｍｅｒをスタートさせる必要があり、当該情報を検出しなかったら、ｄｒｘ−ｏｎＤｕｒａｔｉｏｎＴｉｍｅｒをスタートさせる必要がない旨と、
次の少なくとも１つのＤＲＸ周期のアクティブ期間内で、下りリンク制御チャネル（例えば、ＰＤＣＣＨ）を検出する旨、即ち、端末は、当該情報を検出したら、ＰＤＣＣＨを検出する必要があり、当該情報を検出しなかったら、ＰＤＣＣＨを検出する必要がない旨とのうち、少なくとも１つを含み、
そのうち、所定条件は、
不連続受信−短周期ｄｒｘ−ＳｈｏｒｔＣｙｃｌｅの場合、第一制約関係を満たすサブフレームの開始位置から、不連続受信−タイムスロットオフセットｄｒｘ−ＳｌｏｔＯｆｆｓｅｔパラメータによって示される時間の後が表す時間位置であることと、
不連続受信−長周期ｄｒｘ−ＬｏｎｇＣｙｃｌｅの場合、第二制約関係を満たすサブフレームの開始位置から、不連続受信−タイムスロットオフセットｄｒｘ−ＳｌｏｔＯｆｆｓｅｔパラメータによって示される時間の後が表す時間位置であることとのうち、少なくとも１つを含む。
【０１００】
簡単に言えば、第一指示情報は、その後のもともとｄｒｘ−ｏｎＤｕｒａｔｉｏｎＴｉｍｅｒがスタートされるべき時期に、ＰＤＣＣＨを検出するかどうか、又はｄｒｘ−ｏｎＤｕｒａｔｉｏｎＴｉｍｅｒをスタートさせるかどうかを指示するためのものである。平たく言えば、第一指示情報は、ｏｎ  ｄｕｒａｔｉｏｎ段階で、端末がウェイクアップされる必要があるかどうかを指示するためのものであり、例えば、指示シグナリングのある状態は、その後のｏｎ  ｄｕｒａｔｉｏｎ段階で、端末がウェイクアップしてＰＤＣＣＨを受信する必要がないことを表し、即ち、今回のｏｎ  ｄｕｒａｔｉｏｎ段階にＰＤＣＣＨスケジューリングがないので、端末は、非アクティブ（ｉｎａｃｔｉｖｉｔｙ）状態を維持し続けて、省エネルギーの効果を達成することができる。
【０１０１】
例えば、ｄｒｘ−ＳｈｏｒｔＣｙｃｌｅを使用する場合、第一制約関係は、［（ＳＦＮ×１０）＋ｓｕｂｆｒａｍｅ  ｎｕｍｂｅｒ］ｍｏｄｕｌｏ（ｄｒｘ−ＳｈｏｒｔＣｙｃｌｅ）＝（ｄｒｘ−ＳｔａｒｔＯｆｆｓｅｔ）ｍｏｄｕｌｏ（ｄｒｘ−ＳｈｏｒｔＣｙｃｌｅ）を満たすことであり、
ｄｒｘ−ＬｏｎｇＣｙｃｌｅを使用する場合、第二制約関係は、［（ＳＦＮ×１０）＋ｓｕｂｆｒａｍｅ  ｎｕｍｂｅｒ］ｍｏｄｕｌｏ（ｄｒｘ−ＬｏｎｇＣｙｃｌｅ）＝ｄｒｘ−ＳｔａｒｔＯｆｆｓｅｔを満たすことであり、
上記第一制約関係又は第二制約関係を満たすサブフレームの開始位置から、ｄｒｘ−ＳｌｏｔＯｆｆｓｅｔによって指示された時間をオフセットした時間位置にて、ｄｒｘ−ｏｎＤｕｒａｔｉｏｎＴｉｍｅｒがスタートされる。
【０１０２】
当該第一指示情報によれば、次のもともとｄｒｘ−ｏｎＤｕｒａｔｉｏｎＴｉｍｅｒがスタートされるべき時間にて、ｄｒｘ−ｏｎＤｕｒａｔｉｏｎＴｉｍｅｒをスタートさせるかどうか、又は、次のアクティブ期間内でＰＤＣＣＨを検出するかどうかを指示することができる。
【０１０３】
上記アクティブ期間は、３８．３２１で宣言されたアクティブ期間を含み、具体的に、
ＤＲＸを設定した場合、アクティブ期間には、
ｄｒｘ−ｏｎＤｕｒａｔｉｏｎＴｉｍｅｒ又はｄｒｘ−ＩｎａｃｔｉｖｉｔｙＴｉｍｅｒ又はｄｒｘ−ＲｅｔｒａｎｓｍｉｓｓｉｏｎＴｉｍｅｒＤＬ又はｄｒｘ−ＲｅｔｒａｎｓｍｉｓｓｉｏｎＴｉｍｅｒＵＬ又はｒａ−ＣｏｎｔｅｎｔｉｏｎＲｅｓｏｌｕｔｉｏｎＴｉｍｅｒの作動期間、又は、
ＰＵＣＣＨ上で１つの上りリンクスケジューリング要求ＳＲ（Ｓｃｈｅｄｕｌｉｎｇ  Ｒｅｑｕｅｓｔ）を送信したが、応答をまだ受信していない（ｐｅｎｄｉｎｇ段階にある）期間、又は、
１つのランダムアクセス応答を受信できているが、当該ＭＡＣエンティティに対応するセル無線ネットワーク一時識別子Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）のＰＤＣＣＨによる新データの伝送指示をまだ受け取っていない期間であって、このランダムアクセス応答に対応するランダムアクセスシーケンスは、メディアアクセス制御ＭＡＣ（Ｍｅｄｉｕｍ  Ａｃｃｅｓｓ  Ｃｏｎｔｒｏｌ）エンティティによって競合ベースのランダムアクセスシーケンスから選択したものではない、期間が含まれる。
【０１０４】
第二態様として、前記指示シグナリングに前記第二指示情報が含まれる場合、
ＤＲＸパラメータ設定が上位層シグナリングによって複数セット設定されていれば、前記第二指示情報は、前記上位層シグナリングによって設定された複数セットのＤＲＸパラメータ設定のうち、１セットのＤＲＸパラメータ設定が、ＤＲＸ周期に適用されるＤＲＸパラメータ設定であることを指示し、
ＤＲＸパラメータ設定が上位層シグナリングによって１セット設定されていれば、前記第二指示情報は、スケーリングファクタを指示し、ＤＲＸ周期に適用されるＤＲＸパラメータは、前記上位層シグナリングによって設定されたＤＲＸパラメータ設定と、前記スケーリングファクタとによって特定される。
【０１０５】
簡単に言えば、ＤＲＸパラメータ設定については、以下の２つの指示方式が含まれる。
１つ目は、上位層シグナリングを介して、ＤＲＸパラメータ設定を複数セット設定し、各セットのパラメータ設定は、その一部のパラメータが他の設定と異なる。当該第二指示情報は、そのうちの１セットの設定が今回のウェイクアップ段階に適用される設定であることを指示し、こうして、ＤＲＸパラメータ設定を動的に調整するという目的が実現される。
２つ目は、上位層シグナリングによって、ＤＲＸパラメータ設定を１セット設定し、当該シグナリングは、１つのスケーリング（ｓｃａｌｉｎｇ）ファクタを指示し、それによってＤＲＸパラメータ設定におけるタイマ値又はタイムスロット周期オフセット値をスケーリングして、現在のｏｎ  ｄｕｒａｔｉｏｎウェイクアップ段階に適用されるＤＲＸパラメータ設定が得られる。
【０１０６】
例えばスケーリングファクタは、１／８、１／４、１／２、１、２、４、８等の数値であり、ＤＲＸパラメータ設定におけるタイマのカウントについては、スケーリングファクタと、上位層によって設定されたタイマ値とを乗算し、得られた結果とタイマの値範囲内の選択可能値とを比較して、最大のタイマ値、又は、乗算結果よりも小さい最大の選択可能値、又は、乗算結果よりも大きい最小の選択可能値を、更新されたタイマ値として見出す。
【０１０７】
ｌｏｎｇ  ＤＲＸ  ｃｙｃｌｅ及びｓｈｏｒｔ  ＤＲＸ  ｃｙｃｌｅのスケーリングについては、ｌｏｎｇ  ＤＲＸ  ｃｙｃｌｅの周期及びオフセット値が同時に定義されたものであるため、周期及びオフセット値をスケーリングした後に上記と類似の丸め操作を実行してもよい。Ｓｈｏｒｔ  ＤＲＸ  ｃｙｃｌｅの値は、上位層設定におけるｌｏｎｇ  ＤＲＸ  ｃｙｃｌｅとの比率関係ｋ値に基づくものであってもよく、例えばｌｏｎｇ  ＤＲＸの周期は、ｓｈｏｒｔ  ＤＲＸ  ｃｙｃｌｅのｋ倍である。すると、スケーリング後のｌｏｎｇ  ＤＲＸ  ｃｙｃｌｅ値をそのままｋ値で除算して、ｓｈｏｒｔ  ＤＲＸ  ｃｙｃｌｅの値が得られ、ｋは、事前定義された数値である。
【０１０８】
なお、１セットの前記ＤＲＸパラメータ設定には、ｄｒｘ−ｏｎＤｕｒａｔｉｏｎＴｉｍｅｒ、不連続受信−静止タイマｄｒｘ−ＩｎａｃｔｉｖｉｔｙＴｉｍｅｒ、下りリンク不連続受信−ハイブリッド自動再送要求−往復時間タイマｄｒｘ−ＨＡＲＱ−ＲＴＴ−ＴｉｍｅｒＤＬ、上りリンク不連続受信−ハイブリッド自動再送要求−往復時間タイマｄｒｘ−ＨＡＲＱ−ＲＴＴ−ＴｉｍｅｒＵＬ、下りリンク不連続受信−再送タイマｄｒｘ−ＲｅｔｒａｎｓｍｉｓｓｉｏｎＴｉｍｅｒＤＬ、上りリンク不連続受信−再送タイマｄｒｘ−ＲｅｔｒａｎｓｍｉｓｓｉｏｎＴｉｍｅｒＵＬ、不連続受信−長周期開始オフセットｄｒｘ−ＬｏｎｇＣｙｃｌｅＳｔａｒｔＯｆｆｓｅｔ、短周期不連続受信ｓｈｏｒｔＤＲＸ、及び不連続受信−タイムスロットオフセットｄｒｘ−ＳｌｏｔＯｆｆｓｅｔのうち、少なくとも１つが含まれる。
【０１０９】
第三態様として、前記指示シグナリングに前記第三指示情報が含まれる場合、前記第三指示情報は、下記の情報、即ち、
検出すべきサーチスペースの類型と、
検出すべきサーチスペースの候補と、
検出すべきサーチスペース集合と、
検出すべきサーチスペースの無線ネットワーク一時識別子ＲＮＴＩ（Ｒａｄｉｏ  Ｎｅｔｗｏｒｋ  Ｔｅｍｐｏｒａｒｙ  Ｉｄｅｎｔｉｆｉｅｒ）の類型と、
検出すべき下りリンク制御情報のフォーマットと、
検出すべき下りリンク制御情報の長さとのうち、少なくとも１つの情報の値によって、検出すべき下りリンク制御チャネルの検出状態情報を指示する。
【０１１０】
そのうち、検出すべきサーチスペースの類型は、共通サーチスペース及び／又は端末専用のサーチスペースを含む。
【０１１１】
下りリンク制御チャネルの検出複雑さは、端末が同時にブラインド検出する必要のある制御チャネル設定が多いこと、例えばサーチスペース類型が多いこと、制御チャネルフォーマットが多いこと、候補が多いこと等に起因している。
【０１１２】
従って、第三指示情報により、これらのサーチスペース類型、下りリンク制御情報ＤＣＩ（Ｄｏｗｎｌｉｎｋ  Ｃｏｎｔｒｏｌ  Ｉｎｆｏｒｍａｔｉｏｎ）フォーマット、候補、ひいては、サーチスペース集合（ｓｅａｒｃｈ  ｓｐａｃｅ  ｓｅｔ）、スクランブルされたＲＮＴＩの類型を組み合わせて、対応する値を端末に指示することで、端末は、シグナリング指示に従って、不要な検出を省き、一部の制御候補のブラインド検出のみを行うため、端末の検出複雑さが低減される。
【０１１３】
第三指示情報の設計は、一部又は全ての上記情報の異なる値を集めることで行われる。ここで接続状態でのユーザの制御チャネル検出を例とすると、接続状態での端末の場合、システム情報は、固定の機会でしか読み取れず、しかも、システムメッセージの変更は、ページングメッセージによって指示されるため、共通サーチスペースについては、システムメッセージの検出をひとまず考えない。その一方、ページングメッセージの制御チャネル検出（Ｐ−ＲＮＴＩ（Ｐａｇｉｎｇ−ＲＮＴＩ）によってスクランブルされた制御情報を伝送する）、ランダムアクセス応答ＲＡＲ（ｒａｎｄｏｍ  ａｃｃｅｓｓ  ｒｅｓｐｏｎｓｅ）（ＲＡ−ＲＮＴＩ又はＴＣ−ＲＮＴＩによってスクランブルされた制御情報を伝送する）、及び、他のタイムスロットフォーマット指示ＳＦＩ（ｓｌｏｔ  ｆｏｒｍａｔ  ｉｎｄｉｃａｔｏｒ）、電力制御命令、伝送中断指示（ｉｎｔｅｒｒｕｐｔｅｄ  ｔｒａｎｓｍｉｓｓｉｏｎ  ｉｎｄｉｃａｔｏｒ）等のためのｔｙｐｅ３共通制御情報の検出を考えることが可能である。
【０１１４】
サーチスペースの類型は、共通サーチスペース、端末専用のサーチスペース、及び、どちらも検出する必要のある共通サーチスペースと端末専用サーチスペースとの両方、に分けることが可能である。
【０１１５】
下りリンク制御情報のフォーマットは、即ちＤＣＩ  ｆｏｒｍａｔは、共通サーチスペースに含まれるＤＣＩ  ｆｏｒｍａｔ  ０＿０、１＿０、２＿０、２＿１、２＿２、２＿３に分けることが可能である。端末専用のサーチスペースとしては、ＤＣＩ  ｆｏｒｍａｔ０＿１、１＿１、０＿０、１＿０がある。
【０１１６】
これらのｆｏｒｍａｔは、更にｆｏｒｍａｔのＤＣＩ長さに従ってグループ化可能であり、同じグループのものに１つの状態指示が与えられる。例えば共通サーチスペースのＤＣＩ  ｆｏｒｍａｔ  ０＿０、１＿０、２＿２、２＿３は、ＤＣＩ長さ同じであるため、同一状態として合成可能であり、このとき、当該状態が指示される場合、サーチスペースの設定により、もしこれらのフォーマットのサーチスペースの検出位置、即ち傍受機会が、同じタイムスロットで発生すれば、ＵＥは、複数種類のＤＣＩ  ｆｏｒｍａｔを同時にブラインド検出する必要があり得る。
【０１１７】
１つの選択的な実施例として、検出すべきサーチスペースの候補の値は、検出すべきサーチスペースの候補の比率値と、検出すべきサーチスペースの候補の集約レベルと、検出すべきサーチスペースの候補の集約レベルのグループの識別子とのうち、少なくとも１つを含み、
そのうち、検出すべきサーチスペースの候補の集約レベルのグループには、検出すべきサーチスペースの候補の少なくとも２つの集約レベルが含まれる。
【０１１８】
例えば、サーチスペースの候補は、サーチスペース設定の候補の１／４、１／２、１等の比率に分けることが可能であり、即ち、検出の際、先頭の１／４の候補、１／２の候補、全ての候補を検出する必要があり、さらには、０比率を含んでもよく、つまり、検出しないことである。比率の値については、他の設定も可能であるが、最終的な候補個数が整数値になることを保証するために、切り上げ又は切り捨てを行ってもよい。その一方、サーチスペース候補のうち、一部の集約レベルの候補のみを検出する必要があることを通知してもよく、例えば、集約レベルを分類して、隣接する２つの集約レベルを｛１，２｝、｛２，４｝、｛４，８｝、｛８，１６｝のように１グループとし、指示シグナリングによって第１グループの検出が指示されると、現在、集約レベル１、２のみを検出する必要があることを意味する。また、ブラインド検出の集約レベルを直接指示してもよい。
【０１１９】
ｓｅａｒｃｈ  ｓｐａｃｅ  ｓｅｔも考慮した場合、全てのｓｅｔの１／４、１／２、１等の比率であってもよく、又は、設定されたｓｅａｒｃｈ  ｓｐａｃｅ  ｓｅｔをＩＤに従って異なるグループに分け、例えばグループ１がｓｅａｒｃｈ  ｓｐａｃｅ  ＩＤ  ０〜１に対応し、グループ２がＩＤ  ２〜３に対応し、グループ３がＩＤ  ４〜５に対応し、・・・、グループ５がＩＤ  ８〜９に対応するようにしてもよい。設定されるグループの数及び対応するＩＤの状況は、上位層によって設定されてもよい。
【０１２０】
１つの選択的な実施例として、検出すべきサーチスペース集合の値は、検出すべきサーチスペース集合のグループのインデックス、及び／又は、検出すべきサーチスペース集合のインデックスを含み、そのうち、検出すべきサーチスペース集合のグループには、少なくとも２つの検出すべきサーチスペース集合が含まれる。
【０１２１】
選択的に、検出すべきサーチスペース集合のグループのインデックスは、検出すべきサーチスペース集合のグループのグループＩＤであり、検出すべきサーチスペース集合のインデックスは、検出すべきサーチスペース集合ＩＤである。
【０１２２】
異なるｓｅａｒｃｈ  ｓｐａｃｅ  ｓｅｔについては、異なる検出周期を設定可能であるため、周期が長いと、制御チャネル検出頻度が低くなり、周期が短いと、制御チャネル検出頻度が高くなる。各ＵＥの各帯域幅部分ＢＷＰ（ｂａｎｄｗｉｄｔｈ  ｐａｒｔ）のそれぞれには、最大１０個のサーチスペース集合を設定可能であり、異なるサーチスペース集合に対して異なる検出周期を設定し、指示シグナリングによって、検出されるサーチスペース集合のＩＤを指示すれば、制御チャネル検出周期の動的な変化を実現できる。例えばそれぞれが１、２、３、４となる４つのサーチスペース集合ＩＤを設定しており、対応する検出周期は、それぞれ１個、２個、５個、１０個のタイムスロットとなる。指示シグナリングによって、シグナリングを受け取った後のある時間範囲内でＩＤが４のサーチスペースのみを検出する必要があることを指示すれば、ＰＤＣＣＨ検出周期の動的な調整が実現される。これによって、制御チャネル検出の複雑さが低減される。一方、ある期間内で、ＵＥが頻繁にスケジューリングされる必要がある場合、指示シグナリングによって、ある時間範囲内でＩＤが１又は２のサーチスペースを検出する必要があることを指示すれば、ＵＥサービス負荷に動的に適応するという目的が実現される。指示シグナリングによって指示されるサーチスペースＩＤは、１つであってもよいし、複数であってもよい。
【０１２３】
指示の複雑さを低減するために、サーチスペース集合をＩＤに従ってグループ化してもよく、異なるグループに対応する検出周期の範囲は、異なり得る。制御チャネル検出状態の調整を実現するために、どのグループを検出するかを指示する。上記の例において、異なるグループのＩＤは重なり合わないが、別の方式としては、異なる分グループ内のＩＤが重なり合ってもよい。例えば、グループ１において、対応するＩＤは｛０，１，２，３｝、グループ２において、対応するＩＤは｛１，４，５，６｝、グループ３において、対応するＩＤは｛１，７，８，９｝である。この方式は、あるサーチスペース集合に対する検出が変わらないが、他の制御情報の送信周期又は頻度が動的に調整される場合に適しており、それに応じて、異なるサーチスペース集合を設定して、このような制御情報の送信頻度の調整に適応し、異なるサーチスペースＩＤに対応してもよい。
【０１２４】
本開示のいくつかの実施例において、周期の最小値を指示することで、検出すべきサーチスペース集合（３８．３３１プロトコルではＳｅａｒｃｈ  Ｓｐａｃｅとして表され、３８．２１３ではｓｅａｒｃｈ  ｓｐａｃｅ  ｓｅｔとして表される）に対する指示を実現する。例えば、それぞれが１、２、３、４となる４つのサーチスペース集合ＩＤを設定しており、対応する検出周期は、それぞれ１個、２個、５個、１０個のタイムスロット（ｓｌｏｔ）となる。その後に検出する必要のあるサーチスペース周期が最小として５であると指示されると、周期が５超又は５以上のサーチスペース集合３及び４を検出する必要がある。もしその後に検出する必要のあるサーチスペース周期が最小として１であると指示されれば、４つのサーチスペース集合は、全て検出される必要がある。
【０１２５】
ＲＮＴＩの類型の区別については、例えば、同じ類型のサーチスペースに対して、異なるＲＮＴＩスクランブルも区別される。ただし、通常、同じＤＣＩ長さの場合、異なるｆｏｒｍａｔフォーマットによるブラインド検出複雑さが大きくないため、ＲＮＴＩの類型を区別しても、その省エネルギー効果が限られている。
【０１２６】
上記の情報の一部又は全ての組み合わせを取って、第三指示情報の異なる指示状態を形成する。例えば、第三指示情報は３ビットを含み、表１には、第三指示情報に含まれる内容及び対応する状態を示している。
【０１２７】
【表１】
2021536185.tif 000003
【０１２８】
値１１０を例とする場合、この値は、現在のユーザが端末専用のサーチスペースのみを検出する必要があることを指示するものであり、もし現在のタイムスロットがちょうどページング機会に対応していれば、ページングメッセージの制御情報が共通制御情報に属するため、現在、ページングメッセージの制御情報の送信がなく、ユーザは、ページングメッセージを検出してシステムメッセージ更新状況を取得する必要がないことを意味する。検出されるＤＣＩ  ｆｏｒｍａｔは、全てのＤＣＩを含み、即ち、ＤＣＩ  ｆｏｒｍａｔ  ０＿０、１＿０の他に、ＤＣＩ  ｆｏｒｍａｔ  ０＿１、１＿１も含み、このような状態は、ユーザに複数の端末専用のサーチスペースが設定されている場合に適しており、その理由は、あるサーチスペースがＤＣＩ  ｆｏｒｍａｔ  ０＿０、１＿０又は  ＤＣＩ  ｆｏｒｍａｔ  ０＿１、１＿１しか検出できないからである。複数のサーチスペースの場合に限って、ＤＣＩ  ｆｏｒｍａｔ  ０＿０、１＿０及びＤＣＩ  ｆｏｒｍａｔ  ０＿１、１＿１を同時に傍受（ｍｏｎｉｔｏｒ）する必要がある。
【０１２９】
状態１０１の場合、ＤＣＩ  ｆｏｒｍａｔ  ０＿１、１＿１のみを検出する必要があることを指示するものであるため、ユーザは、ＤＣＩ  ｆｏｒｍａｔ  ０＿０、１＿０を検出するために設定されたサーチスペースに対して、検出を行う必要がない。
【０１３０】
状態０００の場合、現在に端末が制御チャネルの検出を行う必要がないことを示す。
【０１３１】
ここで示したのは、具体的なテーブル設計の一例に過ぎず、現在の第三指示情報に何種類の情報を組み合わせているか、どんな情報を組み合わせているか、及び各情報の状態分割については、何れも上位層によって設定されるものであり得る。
【０１３２】
第三指示情報の指示方式としては、指示する必要のある情報類型に応じて、１ビットずつ指示してもよい。例えば、現在の指示の組み合わせは２種類、すなわちｓｅａｒｃｈ  ｓｐａｃｅ  ｓｅｔ及び候補の比率を含む。ｓｅａｒｃｈ  ｓｐａｃｅ  ｓｅｔを５つのグループに分けたと仮定すると、５ビットを用いて、それぞれのビットが１グループに対応するように、どのｓｅａｒｃｈ  ｓｐａｃｅ  ｓｅｔを検出する必要があるかを指示する。同時に、候補の比率も指示する必要があり、４つの候補比率があると仮定すると、２つの方式がある。１つ目は、各ｓｅａｒｃｈ  ｓｐａｃｅ  ｓｅｔグループに対して２ビットを用い、２つ目は、全てのｓｅａｒｃｈ  ｓｐａｃｅ  ｓｅｔに対して、共通の２ビットで指示する。
【０１３３】
第三指示情報自体は、各端末に対して個別に指示されてもよいし、共通に指示されてもよい。
【０１３４】
例えば、現在の第三指示情報によって指示される組み合わせは１種類しかなく、即ちＰＤＣＣＨ候補の比率しかなく、且つ比率状態が３つあるとすると、２ビットの指示情報が必要となる。
【０１３５】
共通指示を使用する場合、第三指示情報は２ビットのみを含み、当該第三指示情報を検出した端末は、同じ制御チャネル検出状態に従う一方で、端末に対しての個別指示を使用する場合、２つの方式がある。１つ目は、各端末が何れも自分の第三指示情報を検出し、この方式は、オーバーヘッドが大きい。２つ目は、複数の端末のものが同じ指示シグナリング内に多重され、それぞれの端末は、指示シグナリング内の異なる２ビットに対応する。
【０１３６】
第四態様として、指示シグナリングに第四指示情報が含まれる場合、
当該第四指示情報は、ＲＲＣ  ＩＤＬＥ状態のページング状態を指示するためにも使用可能であり、ＷＵＳの役割と類似して、ページング時刻に有効なページングメッセージ送信があるかどうかを端末に指示し、もし有効なページングメッセージ送信がなければ、端末は、スケジューリングページングメッセージの制御チャネルを検出する必要がなく、引き続き低消費電力モードを維持し続けて、省エネルギーの効果を達成することができる。相違点としては、伝送リソースがＷＵＳと異なり、ＷＵＳは、全帯域幅及び１つ又は複数のサブフレームを占用して伝送されるが、ここの指示情報の伝送リソースは、ターゲット物理リソース又はターゲット下りリンク制御チャネルとなる。
【０１３７】
さらには、なお、前記指示シグナリングは、共通指示シグナリング又は端末専用指示シグナリングである。
【０１３８】
具体的に、指示シグナリングの送信方式の１つとしては、共通の情報を送信することであり、即ち、全ての端末にとって、シグナリングの指示内容が同じであり、２つ目の方式としては、異なる端末の指示情報がシグナリングにおいて異なるビットを占めることであり、この指示方式によれば、異なる端末にとって、検出情報が異なってもよい。３つ目の方式としては、各端末に対しての個別指示であり、この方式によれば、指示シグナリングのオーバーヘッドが大きい。
【０１３９】
指示シグナリングは、１个又は複数のタイムスロット内に端末が制御情報を検出する必要があることを指示してもよいし、１つ又は複数のＤＲＸ周期のウェイクアップ又は設定情報を指示してもよい。
【０１４０】
選択的に、前記指示シグナリングが共通指示シグナリングの場合、
異なる端末の検出情報は、前記指示シグナリングにおける同じビット又は異なるビットに対応する。
【０１４１】
以上を纏めると、本開示の上記実施例は、指示シグナリングの伝送方法を提供しており、ＤＲＸのウェイクアップ状態及びＤＲＸパラメータ設定をユーザに動的に指示するとともに、どの制御チャネル候補を検出する必要があるか、どれを検出する必要がないかを動的に指示することで、ユーザによる無効なＰＤＣＣＨの検出の回数を低減できるため、接続状態での省エネルギーの目的が達成される。
【０１４２】
図５に示すように、本開示の実施例は、端末に適用される、指示シグナリングの受信方法であって、
ネットワーク側機器からターゲット物理リソース又はターゲット下りリンク制御チャネル上で送信された指示シグナリングを受信するステップ５１を包含し、前記指示シグナリングには、少なくとも１つの端末の検出情報が含まれ、前記検出情報には、
次の少なくとも１つの不連続受信ＤＲＸ周期内のアクティブ状態を指示するための第一指示情報と、
次の少なくとも１つのＤＲＸ周期におけるＤＲＸパラメータの設定を指示するための第二指示情報と、
検出すべき下りリンク制御チャネルの検出状態情報を指示するための第三指示情報と、
次の少なくとも１つのページング機会の検出状態を指示するための第四指示情報とのうち、少なくとも１つが含まれる、指示シグナリングの受信方法を更に提供している。
【０１４３】
一実施例として、ターゲット物理リソースによって指示シグナリングが搬送される場合、当該指示シグナリングには、例えば情報ビットと符号化ビットとが直接のマッピング関係を持つ符号化方式（例えばテーブルによってそのマッピング関係がリストアップされる）といった簡単な符号化が用いられ、制御チャネルのようにＰｏｌａｒ符号化を行う必要がなく、別の一例として、情報ビットが繰り返される符号化方式や、符号レートの低い他の符号化方式が用いられる。
【０１４４】
即ち、上記ステップ５１は、
ネットワーク側機器からターゲット物理リソース又はターゲット下りリンク制御チャネル上で送信された符号化後の指示シグナリングを受信することを包含し、
前記ネットワーク側機器によって、情報ビットと符号化ビットとがマッピング関係を持つ符号化方式を用いて、指示シグナリングが符号化され、及び／又は、情報ビットが繰り返される符号化方式か或いは符号レートの低いチャネル符号化方式を用いて、前記指示シグナリングが符号化される。
【０１４５】
さらには、ターゲット物理リソースの時間領域ＯＦＤＭシンボルの位置は、
タイムスロットの最初の直交周波数分割多重ＯＦＤＭシンボル（即ち、ターゲット物理リソースは、タイムスロットの１個目のＯＦＤＭシンボルにマッピングされる）、及び／又は、
下りリンク制御チャネルを伝送する制御チャネルリソース集合ＣＯＲＥＳＥＴの位置するＯＦＤＭシンボル（即ち、ターゲット物理リソースは、下りリンク制御チャネルを伝送するＣＯＲＥＳＥＴの位置するＯＦＤＭシンボルにマッピングされる）を含む。
【０１４６】
なお、ＣＯＲＥＳＥＴは、その時間領域での持続シンボル個数が最大３個のＯＦＤＭシンボルであり、時間領域での開始位置がサーチスペース設定によって特定される。
【０１４７】
更に、なお、ターゲット物理リソースは、下りリンク制御チャネルを伝送するＣＯＲＥＳＥＴの位置する全てのＯＦＤＭシンボルにマッピングされてもよいし、下りリンク制御チャネルを伝送するＣＯＲＥＳＥＴの位置する一部のＯＦＤＭシンボルにマッピングされてもよい。
【０１４８】
具体的に、本開示の上記実施例において、ターゲット物理リソースの周波数領域リソースマッピング単位は、
下りリンク制御チャネルのリソース要素グループＲＥＧ（Ｒｅｓｏｕｒｃｅ  Ｅｌｅｍｅｎｔ  Ｇｒｏｕｐ）、又は、
Ｎ（Ｎは、１以上の整数）個のリソースブロックＲＢ（Ｒｅｓｏｕｒｃｅ  Ｂｌｏｃｋ）である。選択的に、Ｎ＝６である。上位層は、リソースの粒度を６ＲＢにして、当該ターゲット物理リソースが割り当てられる周波数領域位置を複数のビットによって指示する。マッピング単位として６ＲＢを用いる利点は、制御チャネルリソース集合ＣＯＲＥＳＥＴ（ｃｏｎｔｒｏｌ  ｒｅｓｏｕｒｃｅ  ｓｅｔ）のリソース割当と互換性を持てることにある。その理由として、ＣＯＲＥＳＥＴの周波数領域リソース割当は、６ＰＲＢを１グループとするリソースグループがＣＯＲＥＳＥＴに割り当てられるかどうかをビットマップ（ｂｉｔｍａｐ）の形式で指示するからである。
【０１４９】
なお、上記ターゲット物理リソースの周波数領域リソース位置は、事前定義の方式、又はネットワーク側シグナリングによる設定の方式で特定され、及び／又は、上記ターゲット物理リソースの時間領域ＯＦＤＭシンボルの位置は、事前定義の方式、又はネットワーク側シグナリングによる設定の方式で特定される。
【０１５０】
別の一実施例として、ターゲット下りリンク制御チャネルによって指示シグナリングが搬送される場合、当該ターゲット下りリンク制御チャネルには、
共通制御情報を搬送する制御チャネル及び／又は端末専用制御情報を搬送する制御チャネルが含まれる。
【０１５１】
共通制御チャネルの検出候補が少なく、且つ候補のサーチスペースでの位置が決まっているため、それ自体の検出複雑さが低い。
【０１５２】
さらには、本開示の上記実施例において、前記ターゲット物理リソース又はターゲット下りリンク制御チャネル上で、シーケンスによって前記指示シグナリングを搬送する。即ち、前記ターゲット物理リソース又はターゲット下りリンク制御チャネル上にシーケンスが搬送され、シーケンスによって、その指示シグナリングが識別される。異なる端末の指示シグナリングについては、異なる直交符号で区別し、同じ伝送リソース上で伝送することが可能である。
【０１５３】
なお、本開示の上記実施例による指示シグナリングには、第一指示情報、第二指示情報、第三指示情報及び第四指示情報のうち、少なくとも１つが含まれる。
【０１５４】
第一態様として、前記指示シグナリングに第一指示情報が含まれる場合、
前記第一指示情報によって指示される次の少なくとも１つの不連続受信ＤＲＸ周期内のアクティブ状態は、
次の少なくとも１つのＤＲＸ周期内で所定条件が満たされた場合、不連続受信−持続時間タイマｄｒｘ−ｏｎＤｕｒａｔｉｏｎＴｉｍｅｒをスタートさせるかどうかの情報と、
次の少なくとも１つのＤＲＸ周期のアクティブ期間内で、下りリンク制御チャネルを検出するかどうかの情報と、
次の少なくとも１つのＤＲＸ周期のアクティブ期間内で、下りリンク制御チャネル（例えばＰＤＣＣＨ）を検出するかどうかの情報と、
次の少なくとも１つのＤＲＸ周期内で所定条件が満たされた場合、ｄｒｘ−ｏｎＤｕｒａｔｉｏｎＴｉｍｅｒをスタートさせる旨、即ち、端末は、当該情報を検出したら、ｄｒｘ−ｏｎＤｕｒａｔｉｏｎＴｉｍｅｒをスタートさせる必要があり、当該情報を検出しなかったら、ｄｒｘ−ｏｎＤｕｒａｔｉｏｎＴｉｍｅｒをスタートさせる必要がない旨と、
次の少なくとも１つのＤＲＸ周期のアクティブ期間内で、下りリンク制御チャネル（例えば、ＰＤＣＣＨ）を検出する旨、即ち、端末は、当該情報を検出したら、ＰＤＣＣＨを検出する必要があり、当該情報を検出しなかったら、ＰＤＣＣＨを検出する必要がない旨とのうち、少なくとも１つを含み、
そのうち、所定条件は、
不連続受信−短周期ｄｒｘ−ＳｈｏｒｔＣｙｃｌｅの場合、第一制約関係を満たすサブフレームの開始位置から、不連続受信−タイムスロットオフセットｄｒｘ−ＳｌｏｔＯｆｆｓｅｔパラメータによって示される時間の後が表す時間位置であることと、
不連続受信−長周期ｄｒｘ−ＬｏｎｇＣｙｃｌｅの場合、第二制約関係を満たすサブフレームの開始位置から、不連続受信−タイムスロットオフセットｄｒｘ−ＳｌｏｔＯｆｆｓｅｔパラメータによって示される時間の後が表す時間位置であることとのうち、少なくとも１つを含む。
【０１５５】
簡単に言えば、第一指示情報は、その後のもともとｄｒｘ−ｏｎＤｕｒａｔｉｏｎＴｉｍｅｒがスタートされるべき時期に、ＰＤＣＣＨを検出するかどうか、又はｄｒｘ−ｏｎＤｕｒａｔｉｏｎＴｉｍｅｒをスタートさせるかどうかを指示するためのものである。平たく言えば、第一指示情報は、ｏｎ  ｄｕｒａｔｉｏｎ段階で、端末がウェイクアップされる必要があるかどうかを指示するためのものであり、例えば、指示シグナリングのある状態は、その後のｏｎ  ｄｕｒａｔｉｏｎ段階で、端末がウェイクアップしてＰＤＣＣＨを受信する必要がないことを表し、即ち、今回のｏｎ  ｄｕｒａｔｉｏｎ段階にＰＤＣＣＨスケジューリングがないので、端末は、非アクティブ（ｉｎａｃｔｉｖｉｔｙ）状態を維持し続けて、省エネルギーの効果を達成することができる。
【０１５６】
例えば、ｄｒｘ−ＳｈｏｒｔＣｙｃｌｅを使用する場合、［（ＳＦＮ×１０）＋ｓｕｂｆｒａｍｅ  ｎｕｍｂｅｒ］ｍｏｄｕｌｏ（ｄｒｘ−ＳｈｏｒｔＣｙｃｌｅ）＝（ｄｒｘ−ＳｔａｒｔＯｆｆｓｅｔ）ｍｏｄｕｌｏ（ｄｒｘ−ＳｈｏｒｔＣｙｃｌｅ）が満たされ、又は、
ｄｒｘ−ＬｏｎｇＣｙｃｌｅを使用する場合、［（ＳＦＮ×１０）＋ｓｕｂｆｒａｍｅ  ｎｕｍｂｅｒ］ｍｏｄｕｌｏ（ｄｒｘ−ＬｏｎｇＣｙｃｌｅ）＝ｄｒｘ−ＳｔａｒｔＯｆｆｓｅｔが満され、サブフレームの開始位置から、ｄｒｘ−ＳｌｏｔＯｆｆｓｅｔによって指示された時間をオフセットした時間位置にて、ｄｒｘ−ｏｎＤｕｒａｔｉｏｎＴｉｍｅｒがスタートされる。
【０１５７】
当該第一指示情報によれば、次のもともとｄｒｘ−ｏｎＤｕｒａｔｉｏｎＴｉｍｅｒがスタートされるべき時間にて、ｄｒｘ−ｏｎＤｕｒａｔｉｏｎＴｉｍｅｒをスタートさせるかどうか、又は、次のアクティブ期間内でＰＤＣＣＨを検出するかどうかを指示することができる。
【０１５８】
上記アクティブ期間は、３８．３２１で宣言されたアクティブ期間を含み、
ＤＲＸを設定した場合、アクティブ期間には、
ｄｒｘ−ｏｎＤｕｒａｔｉｏｎＴｉｍｅｒ又はｄｒｘ−ＩｎａｃｔｉｖｉｔｙＴｉｍｅｒ又はｄｒｘ−ＲｅｔｒａｎｓｍｉｓｓｉｏｎＴｉｍｅｒＤＬ又はｄｒｘ−ＲｅｔｒａｎｓｍｉｓｓｉｏｎＴｉｍｅｒＵＬ又はｒａ−ＣｏｎｔｅｎｔｉｏｎＲｅｓｏｌｕｔｉｏｎＴｉｍｅｒの作動期間、又は、
ＰＵＣＣＨ上で１つの上りリンクスケジューリング要求ＳＲを送信したが、応答をまだ受信していない（ｐｅｎｄｉｎｇ段階にある）期間、又は、
１つのランダムアクセス応答を受信できているが、当該ＭＡＣエンティティに対応するセル無線ネットワーク一時識別子Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）のＰＤＣＣＨによる新データの伝送指示をまだ受け取っていない期間であって、このランダムアクセス応答に対応するランダムアクセスシーケンスは、ＭＡＣエンティティによって競合ベースのランダムアクセスシーケンスから選択したものではない、期間が含まれる。
【０１５９】
第二態様として、前記指示シグナリングに前記第二指示情報が含まれる場合、
ＤＲＸパラメータ設定が上位層シグナリングによって複数セット設定されていれば、前記第二指示情報は、前記上位層シグナリングによって設定された複数セットのＤＲＸパラメータ設定のうち、１セットのＤＲＸパラメータ設定が、ＤＲＸ周期に適用されるＤＲＸパラメータ設定であることを指示し、
ＤＲＸパラメータ設定が上位層シグナリングによって１セット設定されていれば、前記第二指示情報は、スケーリングファクタを指示し、ＤＲＸ周期に適用されるＤＲＸパラメータは、前記上位層シグナリングによって設定されたＤＲＸパラメータ設定と、前記スケーリングファクタとによって特定される。
【０１６０】
簡単に言えば、ＤＲＸパラメータ設定については、以下の２つの指示方式が含まれる。
１つ目は、上位層シグナリングを介して、ＤＲＸパラメータ設定を複数セット設定し、各セットのパラメータ設定は、その一部のパラメータが他の設定と異なる。当該第二指示情報は、そのうちの１セットの設定が今回のウェイクアップ段階に適用される設定であることを指示し、こうして、ＤＲＸパラメータ設定を動的に調整するというの目的が実現される。
２つ目は、上位層シグナリングによって、ＤＲＸパラメータ設定を１セット設定し、当該シグナリングは、１つのスケーリング（ｓｃａｌｉｎｇ）ファクタを指示し、それによってＤＲＸパラメータ設定におけるタイマ値又はタイムスロット周期オフセット値をスケーリングして、現在のｏｎ  ｄｕｒａｔｉｏｎウェイクアップ段階に適用されるＤＲＸパラメータ設定が得られる。
【０１６１】
例えばスケーリングファクタは、１／８、１／４、１／２、１、２、４、８等の数値であり、ＤＲＸパラメータ設定におけるタイマのカウントについては、スケーリングファクタと、上位層によって設定されたタイマ値とを乗算し、得られた結果とタイマの値範囲内の選択可能値とを比較して、最大のタイマ値、又は、乗算結果よりも小さい最大の選択可能値、又は、乗算結果よりも大きい最小の選択可能値を、更新されたタイマ値として見出す。
【０１６２】
ｌｏｎｇ  ＤＲＸ  ｃｙｃｌｅ及びｓｈｏｒｔ  ＤＲＸ  ｃｙｃｌｅのスケーリングについては、ｌｏｎｇ  ＤＲＸ  ｃｙｃｌｅの周期及びオフセット値が同時に定義されたものであるため、周期及びオフセット値をスケーリングした後に上記と類似の丸め操作を実行してもよい。Ｓｈｏｒｔ  ＤＲＸ  ｃｙｃｌｅの値は、上位層設定におけるｌｏｎｇ  ＤＲＸ  ｃｙｃｌｅとの比率関係ｋ値に基づくものであってもよく、例えばｌｏｎｇ  ＤＲＸの周期は、ｓｈｏｒｔ  ＤＲＸ  ｃｙｃｌｅのｋ倍である。すると、スケーリング後のｌｏｎｇ  ＤＲＸ  ｃｙｃｌｅ値をそのままｋ値で除算して、ｓｈｏｒｔ  ＤＲＸ  ｃｙｃｌｅの値が得られ、ｋは、事前定義された数値である。
【０１６３】
なお、１セットの前記ＤＲＸパラメータ設定には、ｄｒｘ−ｏｎＤｕｒａｔｉｏｎＴｉｍｅｒ、不連続受信−静止タイマｄｒｘ−ＩｎａｃｔｉｖｉｔｙＴｉｍｅｒ、下りリンク不連続受信−ハイブリッド自動再送要求−往復時間タイマｄｒｘ−ＨＡＲＱ−ＲＴＴ−ＴｉｍｅｒＤＬ、上りリンク不連続受信−ハイブリッド自動再送要求−往復時間タイマｄｒｘ−ＨＡＲＱ−ＲＴＴ−ＴｉｍｅｒＵＬ、下りリンク不連続受信−再送タイマｄｒｘ−ＲｅｔｒａｎｓｍｉｓｓｉｏｎＴｉｍｅｒＤＬ、上りリンク不連続受信−再送タイマｄｒｘ−ＲｅｔｒａｎｓｍｉｓｓｉｏｎＴｉｍｅｒＵＬ、不連続受信−長周期開始オフセットｄｒｘ−ＬｏｎｇＣｙｃｌｅＳｔａｒｔＯｆｆｓｅｔ、短周期不連続受信ｓｈｏｒｔＤＲＸ及び不連続受信−タイムスロットオフセットｄｒｘ−ＳｌｏｔＯｆｆｓｅｔのうち、少なくとも１つが含まれる。
【０１６４】
第三態様として、前記指示シグナリングに前記第三指示情報が含まれる場合、前記第三指示情報は、下記の情報、即ち、
検出すべきサーチスペースの類型と、
検出すべきサーチスペースの候補と、
検出すべきサーチスペース集合と、
検出すべきサーチスペースの無線ネットワーク一時識別子ＲＮＴＩの類型と、
検出すべき下りリンク制御情報のフォーマットと、
検出すべき下りリンク制御情報の長さとのうち、少なくとも１つの情報の値によって、検出すべき下りリンク制御チャネルの検出状態情報を指示する。
【０１６５】
そのうち、検出すべきサーチスペースの類型は、共通サーチスペース及び／又は端末専用のサーチスペースを含む。
【０１６６】
下りリンク制御チャネルの検出複雑さは、端末が同時にブラインド検出する必要のある制御チャネル設定が多いこと、例えばサーチスペース類型が多いこと、制御チャネルフォーマットが多いこと、候補が多いこと等に起因している。
【０１６７】
従って、第三指示情報により、これらのサーチスペース類型、ＤＣＩフォーマット、候補、ひいては、サーチスペース集合（ｓｅａｒｃｈ  ｓｐａｃｅ  ｓｅｔ）、スクランブルされたＲＮＴＩの類型を組み合わせて端末に指示することで、端末は、シグナリング指示に従って、不要な検出を省き、一部の制御候補のブラインド検出のみを行うため、端末の検出複雑さが低減される。
【０１６８】
第三指示情報の設計は、一部又は全ての上記情報の異なる値を集めることで行われる。ここで接続状態でのユーザの制御チャネル検出を例とすると、接続状態での端末の場合、システム情報は、固定の機会でしか読み取れず、しかも、システムメッセージの変更は、ページングメッセージによって指示されるため、共通サーチスペースについては、システムメッセージの検出をひとまず考えない。その一方、ページングメッセージの制御チャネル検出（Ｐ−ＲＮＴＩによってスクランブルされた制御情報を伝送する）、ランダムアクセス応答ＲＡＲ（ｒａｎｄｏｍ  ａｃｃｅｓｓ  ｒｅｓｐｏｎｓｅ）（ＲＡ−ＲＮＴＩ又はＴＣ−ＲＮＴＩによってスクランブルされた制御情報を伝送する）、及び、他のタイムスロットフォーマット指示ＳＦＩ（ｓｌｏｔ  ｆｏｒｍａｔ  ｉｎｄｉｃａｔｏｒ）、電力制御命令、伝送中断指示（ｉｎｔｅｒｒｕｐｔｅｄ  ｔｒａｎｓｍｉｓｓｉｏｎ  ｉｎｄｉｃａｔｏｒ）等のためのｔｙｐｅ３共通制御情報の検出を考えることが可能である。
【０１６９】
サーチスペース類型は、共通サーチスペース、端末専用のサーチスペース、及び、どちらも検出する必要のある共通サーチスペースと端末専用サーチスペースとの両方に、分けることが可能である。
【０１７０】
下りリンク制御情報のフォーマットは、即ちＤＣＩ  ｆｏｒｍａｔは、共通サーチスペースに含まれるＤＣＩ  ｆｏｒｍａｔ  ０＿０、１＿０、２＿０、２＿１、２＿２、２＿３に分けることが可能である。端末専用のサーチスペースとしては、ＤＣＩ  ｆｏｒｍａｔ０＿１、１＿１、０＿０、１＿０がある。
【０１７１】
これらのｆｏｒｍａｔは、更にｆｏｒｍａｔのＤＣＩ長さに従ってグループ化可能であり、同じグループのものに１つの状態指示が与えられる。例えば共通サーチスペースのＤＣＩ  ｆｏｒｍａｔ  ０＿０、１＿０、２＿２、２＿３は、ＤＣＩ長さ同じであるため、同一状態として合成可能であり、このとき、当該状態が指示される場合、サーチスペースの設定により、もしこれらのフォーマットのサーチスペースの検出位置、即ち傍受機会が、同じタイムスロットで発生すれば、ＵＥは、複数種類のＤＣＩ  ｆｏｒｍａｔを同時にブラインド検出する必要があり得る。
【０１７２】
１つの選択的な実施例として、検出すべきサーチスペースの候補の値は、検出すべきサーチスペースの候補の比率値と、検出すべきサーチスペースの候補の集約レベルと、検出すべきサーチスペースの候補の集約レベルのグループの識別子とのうち、少なくとも１つを含み、
そのうち、検出すべきサーチスペースの候補の集約レベルのグループには、検出すべきサーチスペースの候補の少なくとも２つの集約レベルが含まれる。
【０１７３】
例えば、サーチスペースの候補は、サーチスペース設定の候補の１／４、１／２、１等の比率に分けることが可能であり、即ち、検出の際、先頭の１／４の候補、１／２の候補、全ての候補を検出する必要があり、さらには、０比率を含んでもよく、つまり、検出しないことである。比率の値については、他の設定も可能であるが、最終的な候補個数が整数値になることを保証するために、切り上げ又は切り捨てを行ってもよい。その一方、サーチスペース候補のうち、一部の集約レベルの候補のみを検出する必要があることを通知してもよく、例えば、集約レベルを分類して、隣接する２つの集約レベルを｛１，２｝、｛２，４｝、｛４，８｝、｛８，１６｝のように１グループとし、指示シグナリングによって第１グループの検出が指示されると、現在、集約レベル１、２のみを検出する必要があることを意味する。また、ブラインド検出の集約レベルを直接指示してもよい。
【０１７４】
ｓｅａｒｃｈ  ｓｐａｃｅ  ｓｅｔも考慮した場合、全てのｓｅｔの１／４、１／２、１等の比率であってもよく、又は、設定されたｓｅａｒｃｈ  ｓｐａｃｅ  ｓｅｔをＩＤに従って異なるグループに分け、例えばグループ１がｓｅａｒｃｈ  ｓｐａｃｅ  ＩＤ  ０〜１に対応し、グループ２がＩＤ  ２〜３に対応し、グループ３がＩＤ  ４〜５に対応し、・・・、グループ５がＩＤ  ８〜９に対応するようにしてもよい。設定されるグループの数及び対応するＩＤの状況は、上位層によって設定されてもよい。
【０１７５】
１つの選択的な実施例として、検出すべきサーチスペース集合の値は、検出すべきサーチスペース集合のグループのインデックス、及び／又は、検出すべきサーチスペース集合のインデックスを含み、そのうち、検出すべきサーチスペース集合のグループには、少なくとも２つの検出すべきサーチスペース集合が含まれる。
【０１７６】
選択的に、検出すべきサーチスペース集合のグループのインデックスは、検出すべきサーチスペース集合のグループのグループＩＤであり、検出すべきサーチスペース集合のインデックスは、検出すべきサーチスペース集合ＩＤである。
【０１７７】
異なるｓｅａｒｃｈ  ｓｐａｃｅ  ｓｅｔについては、異なる検出周期を設定可能であるため、周期が長いと、制御チャネル検出頻度が低くなり、周期が短いと、制御チャネル検出頻度が高くなる。各ＵＥの各帯域幅部分ＢＷＰのそれぞれには、最大１０個のサーチスペース集合を設定可能であり、異なるサーチスペース集合に対して異なる検出周期を設定し、指示シグナリングによって、検出されるサーチスペース集合のＩＤを指示すれば、制御チャネル検出周期の動的な変化を実現できる。例えばそれぞれが１、２、３、４となる４つのサーチスペース集合ＩＤを設定しており、対応する検出周期は、それぞれ１個、２個、５個、１０個のタイムスロットとなる。指示シグナリングによって、シグナリングを受け取った後のある時間範囲内でＩＤが４のサーチスペースのみを検出する必要があることを指示すれば、ＰＤＣＣＨ検出周期の動的な調整が実現される。これによって、制御チャネル検出の複雑さが低減される。一方、ある期間内で、ＵＥが頻繁にスケジューリングされる必要がある場合、指示シグナリングによって、ある時間範囲内でＩＤが１又は２のサーチスペースを検出する必要があることを指示すれば、ＵＥサービス負荷に動的に適応するという目的が実現される。指示シグナリングによって指示されるサーチスペースＩＤは、１つであってもよいし、複数であってもよい。
【０１７８】
指示の複雑さを低減するために、サーチスペース集合をＩＤに従ってグループ化してもよく、異なるグループに対応する検出周期の範囲は、異なり得る。制御チャネル検出状態の調整を実現するために、どのグループを検出するかを指示する。上記の例において、異なるグループのＩＤは重なり合わないが、別の方式としては、異なる分グループ内のＩＤが重なり合ってもよい。例えば、グループ１において、対応するＩＤは｛０，１，２，３｝、グループ２において、対応するＩＤは｛１，４，５，６｝、グループ３において、対応するＩＤは｛１，７，８，９｝である。この方式は、あるサーチスペース集合に対する検出が変わらないが、他の制御情報の送信周期又は頻度が動的に調整される場合に適しており、それに応じて、異なるサーチスペース集合を設定して、このような制御情報の送信頻度の調整に適応し、異なるサーチスペースＩＤに対応してもよい。
【０１７９】
本開示のいくつかの実施例において、周期の最小値を指示することで、検出すべきサーチスペース集合（３８．３３１プロトコルではＳｅａｒｃｈ  Ｓｐａｃｅとして表され、３８．２１３ではｓｅａｒｃｈ  ｓｐａｃｅ  ｓｅｔとして表される）に対する指示を実現する。例えば、それぞれが１、２、３、４となる４つのサーチスペース集合ＩＤを設定しており、対応する検出周期は、それぞれ１個、２個、５個、１０個のタイムスロット（ｓｌｏｔ）となる。その後に検出する必要のあるサーチスペース周期が最小として５であると指示されると、周期が５超又は５以上のサーチスペース集合３及び４を検出する必要がある。もしその後に検出する必要のあるサーチスペース周期が最小として１であると指示されれば、４つのサーチスペース集合は、全て検出される必要がある。
【０１８０】
ＲＮＴＩの類型の区別については、例えば、同じ類型のサーチスペースに対して、異なるＲＮＴＩスクランブルも区別される。ただし、通常、同じＤＣＩ長さの場合、異なるｆｏｒｍａｔフォーマットによるブラインド検出複雑さが大きくないため、ＲＮＴＩの類型を区別しても、その省エネルギー効果が限られている。
【０１８１】
第三指示情報の指示方式としては、指示する必要のある情報類型に応じて、１ビットずつ指示してもよい。例えば、現在の指示の組み合わせは２種類、すなわちｓｅａｒｃｈ  ｓｐａｃｅ  ｓｅｔ及び候補の比率を含む。ｓｅａｒｃｈ  ｓｐａｃｅ  ｓｅｔを５つのグループに分けたと仮定すると、５ビットを用いて、それぞれのビットが１グループに対応するように、どのｓｅａｒｃｈ  ｓｐａｃｅ  ｓｅｔを検出する必要があるかを指示する。同時に、候補の比率も指示する必要があり、４つの候補比率があると仮定すると、２つの方式がある。１つ目は、各ｓｅａｒｃｈ  ｓｐａｃｅ  ｓｅｔグループに対して２ビットを用い、２つ目は、全てのｓｅａｒｃｈ  ｓｐａｃｅ  ｓｅｔに対して、共通の２ビットで指示する。
【０１８２】
第三指示情報自体は、各端末に対して個別に指示されてもよいし、共通に指示されてもよい。
【０１８３】
例えば、現在の第三指示情報によって指示される組み合わせは１種類しかなく、即ちＰＤＣＣＨ候補の比率しかなく、且つ比率状態が３つあるとすると、２ビットの指示情報が必要となる。
【０１８４】
共通指示を使用する場合、第三指示情報は２ビットのみを含み、当該第三指示情報を検出した端末は、同じ制御チャネル検出状態に従う一方で、端末に対しての個別指示を使用する場合、２つの方式がある。１つ目は、各端末が何れも自分の第三指示情報を検出し、この方式は、オーバーヘッドが大きい。２つ目は、複数の端末のものが同じ指示シグナリング内に多重され、それぞれの端末は、指示シグナリング内の異なる２ビットに対応する。
【０１８５】
第四態様として、指示シグナリングに第四指示情報が含まれる場合、
当該第四指示情報は、ＲＲＣ  ＩＤＬＥ状態のページング状態を指示するためにも使用可能であり、ＷＵＳの役割と類似して、ページング時刻に有効なページングメッセージ送信があるかどうかを端末に指示し、もし有効なページングメッセージ送信がなければ、端末は、スケジューリングページングメッセージの制御チャネルを検出する必要がなく、引き続き低消費電力モードを維持し続けて、省エネルギーの効果を達成することができる。相違点としては、伝送リソースがＷＵＳと異なり、ＷＵＳは、全帯域幅及び１つ又は複数のサブフレームを占用して伝送されるが、ここの指示情報の伝送リソースは、ターゲット物理リソース又はターゲット下りリンク制御チャネルとなる。
【０１８６】
さらには、なお、前記指示シグナリングは、共通指示シグナリング又は端末専用指示シグナリングである。
【０１８７】
具体的に、指示シグナリングの送信方式の１つとしては、共通の情報を送信することであり、即ち、全ての端末にとって、シグナリングの指示内容が同じであり、２つ目の方式としては、異なる端末の指示情報がシグナリングにおいて異なるビットを占めることであり、この指示方式によれば、異なる端末にとって、検出情報が異なってもよい。３つ目の方式としては、各端末に対しての個別指示であり、この方式によれば、指示シグナリングのオーバーヘッドが大きい。
【０１８８】
指示シグナリングは、１个又は複数のタイムスロット内に端末が制御情報を検出する必要があることを指示してもよいし、１つ又は複数のＤＲＸ周期のウェイクアップ又は設定情報を指示してもよい。
【０１８９】
選択的に、前記指示シグナリングが共通指示シグナリングの場合、
異なる端末の検出情報は、前記指示シグナリングにおける同じビット又は異なるビットに対応する。
【０１９０】
以上を纏めると、本開示の上記実施例は、指示シグナリングの受信方法を提供しており、ネットワーク側機器は、ＤＲＸのウェイクアップ状態及びＤＲＸパラメータ設定をユーザに動的に指示するとともに、どの制御チャネル候補を検出する必要があるか、どれを検出する必要がないかを動的に指示することで、端末による無効なＰＤＣＣＨの検出の回数を低減できるため、接続状態での省エネルギーの目的が達成される。
【０１９１】
図６に示すように、本開示の実施例は、ネットワーク側機器に適用される、指示シグナリングの伝送装置であって、
ターゲット物理リソース又はターゲット下りリンク制御チャネル上で指示シグナリングを送信するための送信モジュールを含み、前記指示シグナリングには、少なくとも１つの端末の検出情報が含まれ、前記検出情報には、
次の少なくとも１つの不連続受信ＤＲＸ周期内のアクティブ状態を指示するための第一指示情報と、
次の少なくとも１つのＤＲＸ周期におけるＤＲＸパラメータの設定を指示するための第二指示情報と、
検出すべき下りリンク制御チャネルの検出状態情報を指示するための第三指示情報と、
次の少なくとも１つのページング機会の検出状態を指示するための第四指示情報とのうち、少なくとも１つが含まれる、指示シグナリングの伝送装置を更に提供している。
【０１９２】
選択的に、本開示の上記実施例において、ターゲット物理リソースには、
タイムスロットの最初の直交周波数分割多重ＯＦＤＭシンボル、及び／又は、
下りリンク制御チャネルを伝送する制御チャネルリソース集合の位置するＯＦＤＭシンボルが含まれる。
【０１９３】
選択的に、本開示の上記実施例において、ターゲット下りリンク制御チャネルには、
共通制御情報を搬送する制御チャネル及び／又は端末専用制御情報を搬送する制御チャネルが含まれる。
【０１９４】
選択的に、本開示の上記実施例において、前記送信モジュールは、
情報ビットと符号化ビットとがマッピング関係を持つ符号化方式を用いて、指示シグナリングを符号化し、及び／又は、情報ビットが繰り返される符号化方式か或いは符号レートの低いチャネル符号化方式を用いて、前記指示シグナリングを符号化するための符号化サブモジュールと、
前記ターゲット物理リソース又はターゲット下りリンク制御チャネル上で、符号化後の前記指示シグナリングを送信するための送信サブモジュールとを含む。
【０１９５】
選択的に、本開示の上記実施例において、前記ターゲット物理リソース又はターゲット下りリンク制御チャネル上で、シーケンスによって前記指示シグナリングを搬送する。
【０１９６】
選択的に、本開示の上記実施例において、ターゲット物理リソースの周波数領域リソースマッピング単位は、
下りリンク制御チャネルのリソース要素グループＲＥＧ、又は、
Ｎ（Ｎは、１以上の整数）個のリソースブロックＲＢである。
【０１９７】
選択的に、本開示の上記実施例において、ターゲット物理リソースの周波数領域リソース位置は、事前定義の方式、又はネットワーク側シグナリングによる設定の方式で特定され、
及び／又は、ターゲット物理リソースの時間領域ＯＦＤＭシンボルの位置は、事前定義の方式、又はネットワーク側シグナリングによる設定の方式で特定される。
【０１９８】
選択的に、本開示の上記実施例において、前記指示シグナリングに第一指示情報が含まれる場合、
前記第一指示情報によって指示される次の少なくとも１つの不連続受信ＤＲＸ周期内のアクティブ状態は、
次の少なくとも１つのＤＲＸ周期内で所定条件が満たされた場合、不連続受信−持続時間タイマｄｒｘ−ｏｎＤｕｒａｔｉｏｎＴｉｍｅｒをスタートさせるかどうかの情報と、
次の少なくとも１つのＤＲＸ周期のアクティブ期間内で、下りリンク制御チャネルを検出するかどうかの情報と、
次の少なくとも１つのＤＲＸ周期内で所定条件が満たされた場合、ｄｒｘ−ｏｎＤｕｒａｔｉｏｎＴｉｍｅｒをスタートさせる旨と、
次の少なくとも１つのＤＲＸ周期のアクティブ期間内で、下りリンク制御チャネルを検出する旨とのうち、少なくとも１つを含み、
そのうち、所定条件は、
不連続受信−短周期ｄｒｘ−ＳｈｏｒｔＣｙｃｌｅの場合、第一制約関係を満たすサブフレームの開始位置から、不連続受信−タイムスロットオフセットｄｒｘ−ＳｌｏｔＯｆｆｓｅｔパラメータによって示される時間の後が表す時間位置であることと、
不連続受信−長周期ｄｒｘ−ＬｏｎｇＣｙｃｌｅの場合、第二制約関係を満たすサブフレームの開始位置から、不連続受信−タイムスロットオフセットｄｒｘ−ＳｌｏｔＯｆｆｓｅｔパラメータによって示される時間の後が表す時間位置であることとのうち、少なくとも１つを含む。
【０１９９】
選択的に、本開示の上記実施例において、前記指示シグナリングに前記第二指示情報が含まれる場合、
ＤＲＸパラメータ設定が上位層シグナリングによって複数セット設定されていれば、前記第二指示情報は、前記上位層シグナリングによって設定された複数セットのＤＲＸパラメータ設定のうち、１セットのＤＲＸパラメータ設定が、ＤＲＸ周期に適用されるＤＲＸパラメータ設定であることを指示し、
ＤＲＸパラメータ設定が上位層シグナリングによって１セット設定されていれば、前記第二指示情報は、スケーリングファクタを指示し、ＤＲＸ周期に適用されるＤＲＸパラメータは、前記上位層シグナリングによって設定されたＤＲＸパラメータ設定と、前記スケーリングファクタとによって特定される。
【０２００】
選択的に、本開示の上記実施例において、前記指示シグナリングに前記第三指示情報が含まれる場合、前記第三指示情報は、下記の情報、即ち、
検出すべきサーチスペースの類型と、
検出すべきサーチスペースの候補と、
検出すべきサーチスペース集合と、
検出すべきサーチスペースの無線ネットワーク一時識別子ＲＮＴＩの類型と、
検出すべき下りリンク制御情報のフォーマットと、
検出すべき下りリンク制御情報の長さとのうち、少なくとも１つの情報の値によって、検出すべき下りリンク制御チャネルの検出状態情報を指示する。
【０２０１】
選択的に、本開示の上記実施例において、検出すべきサーチスペースの類型は、共通サーチスペース及び／又は端末専用のサーチスペースを含む。
【０２０２】
選択的に、本開示の上記実施例において、検出すべきサーチスペース集合の値は、検出すべきサーチスペース集合のグループのインデックス、及び／又は、検出すべきサーチスペース集合のインデックスを含み、そのうち、検出すべきサーチスペース集合のグループには、少なくとも２つの検出すべきサーチスペース集合が含まれる。
【０２０３】
選択的に、本開示の上記実施例において、検出すべきサーチスペースの候補の値は、検出すべきサーチスペースの候補の比率値と、検出すべきサーチスペースの候補の集約レベルと、検出すべきサーチスペースの候補の集約レベルのグループの識別子とのうち、少なくとも１つを含み、
そのうち、検出すべきサーチスペースの候補の集約レベルのグループには、検出すべきサーチスペースの候補の少なくとも２つの集約レベルが含まれる。
【０２０４】
選択的に、本開示の上記実施例において、前記指示シグナリングは、共通指示シグナリング又は端末専用指示シグナリングである。
【０２０５】
選択的に、本開示の上記実施例において、前記指示シグナリングが共通指示シグナリングの場合、
異なる端末の検出情報は、前記指示シグナリングにおける同じビット又は異なるビットに対応する。
【０２０６】
本開示の実施例による指示シグナリングの伝送装置において、当該装置は、ターゲット物理リソース又はターゲット下りリンク制御チャネル上で端末の検出情報を動的に指示することによって、端末がその対応する検出情報に従って下りリンク制御チャネルの検出を行うようにし、省エネルギーの目的を達成している。
【０２０７】
なお、本開示の実施例による指示シグナリングの伝送装置は、上記指示シグナリングの伝送方法を実行可能な装置であるため、上記指示シグナリングの伝送方法の全ての実施例は、当該装置に適用可能で、且つ何れも同じ又は類似な有益効果を達成できる。
【０２０８】
図７に示すように、本開示の実施例は、プロセッサ７００及びトランシーバ７１０を含むネットワーク側機器であって、前記プロセッサ７００は、
ターゲット物理リソース又はターゲット下りリンク制御チャネル上で指示シグナリングを送信する手順を前記トランシーバ７１０に実行させるように制御するためのものであり、前記指示シグナリングには、少なくとも１つの端末の検出情報が含まれ、前記検出情報には、
次の少なくとも１つの不連続受信ＤＲＸ周期内のアクティブ状態を指示するための第一指示情報と、
次の少なくとも１つのＤＲＸ周期におけるＤＲＸパラメータの設定を指示するための第二指示情報と、
検出すべき下りリンク制御チャネルの検出状態情報を指示するための第三指示情報と、
次の少なくとも１つのページング機会の検出状態を指示するための第四指示情報とのうち、少なくとも１つが含まれる、ネットワーク側機器を更に提供している。
【０２０９】
選択的に、本開示の上記実施例において、ターゲット物理リソースには、
タイムスロットの最初の直交周波数分割多重ＯＦＤＭシンボル、及び／又は、
下りリンク制御チャネルを伝送する制御チャネルリソース集合の位置するＯＦＤＭシンボルが含まれる。
【０２１０】
選択的に、本開示の上記実施例において、ターゲット下りリンク制御チャネルには、
共通制御情報を搬送する制御チャネル及び／又は端末専用制御情報を搬送する制御チャネルが含まれる。
【０２１１】
選択的に、本開示の上記実施例において、前記プロセッサ７００は、
情報ビットと符号化ビットとがマッピング関係を持つ符号化方式を用いて、指示シグナリングを符号化し、及び／又は、情報ビットが繰り返されるチャネル符号化方式か或いは符号レートの低いチャネル符号化方式を用いて、前記指示シグナリングを符号化するために更に用いられ、
前記トランシーバ７１０は、
前記ターゲット物理リソース又はターゲット下りリンク制御チャネル上で、符号化後の前記指示シグナリングを送信するために更に用いられる。
【０２１２】
選択的に、本開示の上記実施例において、前記プロセッサ７００は、
前記ターゲット物理リソース又はターゲット下りリンク制御チャネル上で、シーケンスによって前記指示シグナリングを搬送するために更に用いられる。
【０２１３】
選択的に、本開示の上記実施例において、ターゲット物理リソースの周波数領域リソースマッピング単位は、
下りリンク制御チャネルのリソース要素グループＲＥＧ、又は、
Ｎ（Ｎは、１以上の整数）個のリソースブロックＲＢである。
【０２１４】
選択的に、本開示の上記実施例において、ターゲット物理リソースの周波数領域リソース位置は、事前定義の方式、又はネットワーク側シグナリングによる設定の方式で特定され、
及び／又は、ターゲット物理リソースの時間領域ＯＦＤＭシンボルの位置は、事前定義の方式、又はネットワーク側シグナリングによる設定の方式で特定される。
【０２１５】
選択的に、本開示の上記実施例において、前記指示シグナリングに第一指示情報が含まれる場合、
前記第一指示情報によって指示される次の少なくとも１つの不連続受信ＤＲＸ周期内のアクティブ状態は、
次の少なくとも１つのＤＲＸ周期内で所定条件が満たされた場合、不連続受信−持続時間タイマｄｒｘ−ｏｎＤｕｒａｔｉｏｎＴｉｍｅｒをスタートさせるかどうかの情報と、
次の少なくとも１つのＤＲＸ周期のアクティブ期間内で、下りリンク制御チャネルを検出するかどうかの情報と、
次の少なくとも１つのＤＲＸ周期内で所定条件が満たされた場合、ｄｒｘ−ｏｎＤｕｒａｔｉｏｎＴｉｍｅｒをスタートさせる旨と、
次の少なくとも１つのＤＲＸ周期のアクティブ期間内で、下りリンク制御チャネルを検出する旨とのうち、少なくとも１つを含み、
そのうち、所定条件は、
不連続受信−短周期ｄｒｘ−ＳｈｏｒｔＣｙｃｌｅの場合、第一制約関係を満たすサブフレームの開始位置から、不連続受信−タイムスロットオフセットｄｒｘ−ＳｌｏｔＯｆｆｓｅｔパラメータによって示される時間の後が表す時間位置であることと、
不連続受信−長周期ｄｒｘ−ＬｏｎｇＣｙｃｌｅの場合、第二制約関係を満たすサブフレームの開始位置から、不連続受信−タイムスロットオフセットｄｒｘ−ＳｌｏｔＯｆｆｓｅｔパラメータによって示される時間の後が表す時間位置であることとのうち、少なくとも１つを含む。
【０２１６】
選択的に、本開示の上記実施例において、前記指示シグナリングに前記第二指示情報が含まれる場合、
ＤＲＸパラメータ設定が上位層シグナリングによって複数セット設定されていれば、前記第二指示情報は、前記上位層シグナリングによって設定された複数セットのＤＲＸパラメータ設定のうち、１セットのＤＲＸパラメータ設定が、ＤＲＸ周期に適用されるＤＲＸパラメータ設定であることを指示し、
ＤＲＸパラメータ設定が上位層シグナリングによって１セット設定されていれば、前記第二指示情報は、スケーリングファクタを指示し、ＤＲＸ周期に適用されるＤＲＸパラメータは、前記上位層シグナリングによって設定されたＤＲＸパラメータ設定と、前記スケーリングファクタとによって特定される。
【０２１７】
選択的に、本開示の上記実施例において、前記指示シグナリングに前記第三指示情報が含まれる場合、前記第三指示情報は、下記の情報、即ち、
検出すべきサーチスペースの類型と、
検出すべきサーチスペースの候補と、
検出すべきサーチスペース集合と、
検出すべきサーチスペースの無線ネットワーク一時識別子ＲＮＴＩの類型と、
検出すべき下りリンク制御情報のフォーマットと、
検出すべき下りリンク制御情報の長さとのうち、少なくとも１つの情報の値によって、検出すべき下りリンク制御チャネルの検出状態情報を指示する。
【０２１８】
選択的に、本開示の上記実施例において、検出すべきサーチスペースの類型は、共通サーチスペース及び／又は端末専用のサーチスペースを含む。
【０２１９】
選択的に、本開示の上記実施例において、検出すべきサーチスペース集合の値は、検出すべきサーチスペース集合のグループのインデックス、及び／又は、検出すべきサーチスペース集合のインデックスを含み、そのうち、検出すべきサーチスペース集合のグループには、少なくとも２つの検出すべきサーチスペース集合が含まれる。
【０２２０】
選択的に、本開示の上記実施例において、検出すべきサーチスペースの候補の値は、検出すべきサーチスペースの候補の比率値と、検出すべきサーチスペースの候補の集約レベルと、検出すべきサーチスペースの候補の集約レベルのグループの識別子とのうち、少なくとも１つを含み、
そのうち、検出すべきサーチスペースの候補の集約レベルのグループには、検出すべきサーチスペースの候補の少なくとも２つの集約レベルが含まれる。
【０２２１】
選択的に、本開示の上記実施例において、前記指示シグナリングは、共通指示シグナリング又は端末専用指示シグナリングである。
【０２２２】
選択的に、本開示の上記実施例において、前記指示シグナリングが共通指示シグナリングの場合、
異なる端末の検出情報は、前記指示シグナリングにおける同じビット又は異なるビットに対応する。
【０２２３】
本開示の実施例によるネットワーク側機器において、当該ネットワーク側機器は、ターゲット物理リソース又はターゲット下りリンク制御チャネル上で端末の検出情報を動的に指示することによって、端末がその対応する検出情報に従って下りリンク制御チャネルの検出を行うようにし、省エネルギーの目的を達成している。
【０２２４】
なお、本開示の実施例によるネットワーク側機器は、上記指示シグナリングの伝送方法を実行可能なネットワーク側機器であるため、上記指示シグナリングの伝送方法の全ての実施例は、当該ネットワーク側機器に適用可能で、且つ何れも同じ又は類似な有益効果を達成できる。
【０２２５】
本開示の実施例は、コンピュータプログラムを記憶したコンピュータ読取可能な記憶媒体を更に提供しており、当該プログラムがプロセッサによって実行されると、上記に記載の指示シグナリングの伝送方法実施例における各手順を実現し、且つ同じ技術効果を達成することができるが、重複を避けるため、ここで繰り返して説明しない。そのうち、前記のコンピュータ読取可能な記憶媒体は、例えば読取専用メモリＲＯＭ（Ｒｅａｄ−Ｏｎｌｙ  Ｍｅｍｏｒｙ）、ランダムアクセスメモリＲＡＭ（Ｒａｎｄｏｍ  Ａｃｃｅｓｓ  Ｍｅｍｏｒｙ）、磁気ディスク又は光ディスク等である。
【０２２６】
図８に示すように、本開示の実施例は、端末に適用される、指示シグナリングの受信装置であって、
ネットワーク側機器からターゲット物理リソース又はターゲット下りリンク制御チャネル上で送信された指示シグナリングを受信するための受信モジュール８１を含み、前記指示シグナリングには、少なくとも１つの端末の検出情報が含まれ、前記検出情報には、
次の少なくとも１つの不連続受信ＤＲＸ周期内のアクティブ状態を指示するための第一指示情報と、
次の少なくとも１つのＤＲＸ周期におけるＤＲＸパラメータの設定を指示するための第二指示情報と、
検出すべき下りリンク制御チャネルの検出状態情報を指示するための第三指示情報と、
次の少なくとも１つのページング機会の検出状態を指示するための第四指示情報とのうち、少なくとも１つが含まれる、指示シグナリングの受信装置を更に提供している。
【０２２７】
選択的に、本開示の上記実施例において、ターゲット物理リソースには、
タイムスロットの最初の直交周波数分割多重ＯＦＤＭシンボル、及び／又は、
下りリンク制御チャネルを伝送する制御チャネルリソース集合の位置するＯＦＤＭシンボルが含まれる。
【０２２８】
選択的に、本開示の上記実施例において、ターゲット下りリンク制御チャネルには、
共通制御情報を搬送する制御チャネル及び／又は端末専用制御情報を搬送する制御チャネルが含まれる。
【０２２９】
選択的に、本開示の上記実施例において、前記受信モジュールは、
ネットワーク側機器からターゲット物理リソース又はターゲット下りリンク制御チャネル上で送信された符号化後の指示シグナリングを受信するための受信サブモジュールを含み、
前記ネットワーク側機器によって、情報ビットと符号化ビットとがマッピング関係を持つ符号化方式を用いて、指示シグナリングが符号化され、及び／又は、情報ビットが繰り返される符号化方式か或いは符号レートの低いチャネル符号化方式を用いて、前記指示シグナリングが符号化される。
【０２３０】
選択的に、本開示の上記実施例において、前記ターゲット物理リソース又はターゲット下りリンク制御チャネル上で、シーケンスによって前記指示シグナリングを搬送する。
【０２３１】
選択的に、本開示の上記実施例において、ターゲット物理リソースの周波数領域リソースマッピング単位は、
下りリンク制御チャネルのリソース要素グループＲＥＧ、又は、
Ｎ（Ｎは、１以上の整数）個のリソースブロックＲＢである。
【０２３２】
選択的に、本開示の上記実施例において、ターゲット物理リソースの周波数領域リソース位置は、事前定義の方式、又はネットワーク側シグナリングによる設定の方式で特定され、
及び／又は、ターゲット物理リソースの時間領域ＯＦＤＭシンボルの位置は、事前定義の方式、又はネットワーク側シグナリングによる設定の方式で特定される。
【０２３３】
選択的に、本開示の上記実施例において、前記指示シグナリングに第一指示情報が含まれる場合、
前記第一指示情報によって指示される次の少なくとも１つの不連続受信ＤＲＸ周期内のアクティブ状態は、
次の少なくとも１つのＤＲＸ周期内で所定条件が満たされた場合、不連続受信−持続時間タイマｄｒｘ−ｏｎＤｕｒａｔｉｏｎＴｉｍｅｒをスタートさせるかどうかの情報と、
次の少なくとも１つのＤＲＸ周期のアクティブ期間内で、下りリンク制御チャネルを検出するかどうかの情報と、
次の少なくとも１つのＤＲＸ周期内で所定条件が満たされた場合、ｄｒｘ−ｏｎＤｕｒａｔｉｏｎＴｉｍｅｒをスタートさせる旨と、
次の少なくとも１つのＤＲＸ周期のアクティブ期間内で、下りリンク制御チャネルを検出する旨とのうち、少なくとも１つを含み、
そのうち、所定条件は、
不連続受信−短周期ｄｒｘ−ＳｈｏｒｔＣｙｃｌｅの場合、第一制約関係を満たすサブフレームの開始位置から、不連続受信−タイムスロットオフセットｄｒｘ−ＳｌｏｔＯｆｆｓｅｔパラメータによって示される時間の後が表す時間位置であることと、
不連続受信−長周期ｄｒｘ−ＬｏｎｇＣｙｃｌｅの場合、第二制約関係を満たすサブフレームの開始位置から、不連続受信−タイムスロットオフセットｄｒｘ−ＳｌｏｔＯｆｆｓｅｔパラメータによって示される時間の後が表す時間位置であることとのうち、少なくとも１つを含む。
【０２３４】
選択的に、本開示の上記実施例において、前記指示シグナリングに前記第二指示情報が含まれる場合、
ＤＲＸパラメータ設定が上位層シグナリングによって複数セット設定されていれば、前記第二指示情報は、前記上位層シグナリングによって設定された複数セットのＤＲＸパラメータ設定のうち、１セットのＤＲＸパラメータ設定が、ＤＲＸ周期に適用されるＤＲＸパラメータ設定であることを指示し、
ＤＲＸパラメータ設定が上位層シグナリングによって１セット設定されていれば、前記第二指示情報は、スケーリングファクタを指示し、ＤＲＸ周期に適用されるＤＲＸパラメータは、前記上位層シグナリングによって設定されたＤＲＸパラメータ設定と、前記スケーリングファクタとによって特定される。
【０２３５】
選択的に、本開示の上記実施例において、前記指示シグナリングに前記第三指示情報が含まれる場合、前記第三指示情報は、下記の情報、即ち、
検出すべきサーチスペースの類型と、
検出すべきサーチスペースの候補と、
検出すべきサーチスペース集合と、
検出すべきサーチスペースの無線ネットワーク一時識別子ＲＮＴＩの類型と、
検出すべき下りリンク制御情報のフォーマットと、
検出すべき下りリンク制御情報の長さとのうち、少なくとも１つの情報の値によって、検出すべき下りリンク制御チャネルの検出状態情報を指示する。
【０２３６】
選択的に、本開示の上記実施例において、検出すべきサーチスペースの類型は、共通サーチスペース及び／又は端末専用のサーチスペースを含む。
【０２３７】
選択的に、本開示の上記実施例において、検出すべきサーチスペース集合の値は、検出すべきサーチスペース集合のグループのインデックス、及び／又は、検出すべきサーチスペース集合のインデックスを含み、そのうち、検出すべきサーチスペース集合のグループには、少なくとも２つの検出すべきサーチスペース集合が含まれる。
【０２３８】
選択的に、本開示の上記実施例において、検出すべきサーチスペースの候補の値は、検出すべきサーチスペースの候補の比率値と、検出すべきサーチスペースの候補の集約レベルと、検出すべきサーチスペースの候補の集約レベルのグループの識別子とのうち、少なくとも１つを含み、
そのうち、検出すべきサーチスペースの候補の集約レベルのグループには、検出すべきサーチスペースの候補の少なくとも２つの集約レベルが含まれる。
【０２３９】
選択的に、本開示の上記実施例において、前記指示シグナリングは、共通指示シグナリング又は端末専用指示シグナリングである。
【０２４０】
選択的に、本開示の上記実施例において、前記指示シグナリングが共通指示シグナリングの場合、
異なる端末の検出情報は、前記指示シグナリングにおける同じビット又は異なるビットに対応する。
【０２４１】
本開示の実施例による指示シグナリングの受信装置において、ネットワーク側機器は、ターゲット物理リソース又はターゲット下りリンク制御チャネル上で端末の検出情報を動的に指示することによって、端末がその対応する検出情報に従って下りリンク制御チャネルの検出を行うようにし、省エネルギーの目的を達成している。
【０２４２】
なお、本開示の実施例による指示シグナリングの受信装置は、上記指示シグナリングの伝送方法を実行可能な装置であるため、上記指示シグナリングの伝送方法の全ての実施例は、当該装置に適用可能で、且つ何れも同じ又は類似な有益効果を達成できる。
【０２４３】
図９に示すように、本開示の実施例は、プロセッサ９００及びトランシーバ９１０を含む端末であって、当該端末には、ユーザインタフェース９２０が更に含まれ、前記プロセッサ９００は、
ネットワーク側機器からターゲット物理リソース又はターゲット下りリンク制御チャネル上で送信された指示シグナリングを受信する手順を前記トランシーバ９１０に実行させるように制御するためのものであり、前記指示シグナリングには、少なくとも１つの端末の検出情報が含まれ、前記検出情報には、
次の少なくとも１つの不連続受信ＤＲＸ周期内のアクティブ状態を指示するための第一指示情報と、
次の少なくとも１つのＤＲＸ周期におけるＤＲＸパラメータの設定を指示するための第二指示情報と、
検出すべき下りリンク制御チャネルの検出状態情報を指示するための第三指示情報と、
次の少なくとも１つのページング機会の検出状態を指示するための第四指示情報とのうち、少なくとも１つが含まれる、端末を更に提供している。
【０２４４】
選択的に、本開示の上記実施例において、ターゲット物理リソースには、
タイムスロットの最初の直交周波数分割多重ＯＦＤＭシンボル、及び／又は、
下りリンク制御チャネルを伝送する制御チャネルリソース集合の位置するＯＦＤＭシンボルが含まれる。
【０２４５】
選択的に、本開示の上記実施例において、ターゲット下りリンク制御チャネルには、
共通制御情報を搬送する制御チャネル及び／又は端末専用制御情報を搬送する制御チャネルが含まれる。
【０２４６】
選択的に、本開示の上記実施例において、前記トランシーバ９００は、
ネットワーク側機器からターゲット物理リソース又はターゲット下りリンク制御チャネル上で送信された符号化後の指示シグナリングを受信するために更に用いられ、
前記ネットワーク側機器によって、情報ビットと符号化ビットとがマッピング関係を持つ符号化方式を用いて、指示シグナリングが符号化され、及び／又は、情報ビットが繰り返される符号化方式か或いは符号レートの低いチャネル符号化方式を用いて、前記指示シグナリングが符号化される。
【０２４７】
選択的に、本開示の上記実施例において、前記ターゲット物理リソース又はターゲット下りリンク制御チャネル上で、シーケンスによって前記指示シグナリングを搬送する。
【０２４８】
選択的に、本開示の上記実施例において、ターゲット物理リソースの周波数領域リソースマッピング単位は、
下りリンク制御チャネルのリソース要素グループＲＥＧ、又は、
Ｎ（Ｎは、１以上の整数）個のリソースブロックＲＢである。
【０２４９】
選択的に、本開示の上記実施例において、ターゲット物理リソースの周波数領域リソース位置は、事前定義の方式、又はネットワーク側シグナリングによる設定の方式で特定され、
及び／又は、ターゲット物理リソースの時間領域ＯＦＤＭシンボルの位置は、事前定義の方式、又はネットワーク側シグナリングによる設定の方式で特定される。
【０２５０】
選択的に、本開示の上記実施例において、前記指示シグナリングに第一指示情報が含まれる場合、
前記第一指示情報によって指示される次の少なくとも１つの不連続受信ＤＲＸ周期内のアクティブ状態は、
次の少なくとも１つのＤＲＸ周期内で所定条件が満たされた場合、不連続受信−持続時間タイマｄｒｘ−ｏｎＤｕｒａｔｉｏｎＴｉｍｅｒをスタートさせるかどうかの情報と、
次の少なくとも１つのＤＲＸ周期のアクティブ期間内で、下りリンク制御チャネルを検出するかどうかの情報と、
次の少なくとも１つのＤＲＸ周期内で所定条件が満たされた場合、ｄｒｘ−ｏｎＤｕｒａｔｉｏｎＴｉｍｅｒをスタートさせる旨と、
次の少なくとも１つのＤＲＸ周期のアクティブ期間内で、下りリンク制御チャネルを検出する旨とのうち、少なくとも１つを含み、
そのうち、所定条件は、
不連続受信−短周期ｄｒｘ−ＳｈｏｒｔＣｙｃｌｅの場合、第一制約関係を満たすサブフレームの開始位置から、不連続受信−タイムスロットオフセットｄｒｘ−ＳｌｏｔＯｆｆｓｅｔパラメータによって示される時間の後が表す時間位置であることと、
不連続受信−長周期ｄｒｘ−ＬｏｎｇＣｙｃｌｅの場合、第二制約関係を満たすサブフレームの開始位置から、不連続受信−タイムスロットオフセットｄｒｘ−ＳｌｏｔＯｆｆｓｅｔパラメータによって示される時間の後が表す時間位置であることとのうち、少なくとも１つを含む。
【０２５１】
選択的に、本開示の上記実施例において、前記指示シグナリングに前記第二指示情報が含まれる場合、
ＤＲＸパラメータ設定が上位層シグナリングによって複数セット設定されていれば、前記第二指示情報は、前記上位層シグナリングによって設定された複数セットのＤＲＸパラメータ設定のうち、１セットのＤＲＸパラメータ設定が、ＤＲＸ周期に適用されるＤＲＸパラメータ設定であることを指示し、
ＤＲＸパラメータ設定が上位層シグナリングによって１セット設定されていれば、前記第二指示情報は、スケーリングファクタを指示し、ＤＲＸ周期に適用されるＤＲＸパラメータは、前記上位層シグナリングによって設定されたＤＲＸパラメータ設定と、前記スケーリングファクタとによって特定される。
【０２５２】
選択的に、本開示の上記実施例において、前記指示シグナリングに前記第三指示情報が含まれる場合、前記第三指示情報は、下記の情報、即ち、
検出すべきサーチスペースの類型と、
検出すべきサーチスペースの候補と、
検出すべきサーチスペース集合と、
検出すべきサーチスペースの無線ネットワーク一時識別子ＲＮＴＩの類型と、
検出すべき下りリンク制御情報のフォーマットと、
検出すべき下りリンク制御情報の長さとのうち、少なくとも１つの情報の値によって、検出すべき下りリンク制御チャネルの検出状態情報を指示する。
【０２５３】
選択的に、本開示の上記実施例において、検出すべきサーチスペースの類型は、共通サーチスペース及び／又は端末専用のサーチスペースを含む。
【０２５４】
選択的に、本開示の上記実施例において、検出すべきサーチスペース集合の値は、検出すべきサーチスペース集合のグループのインデックス、及び／又は、検出すべきサーチスペース集合のインデックスを含み、そのうち、検出すべきサーチスペース集合のグループには、少なくとも２つの検出すべきサーチスペース集合が含まれる。
【０２５５】
選択的に、本開示の上記実施例において、検出すべきサーチスペースの候補の値は、検出すべきサーチスペースの候補の比率値と、検出すべきサーチスペースの候補の集約レベルと、検出すべきサーチスペースの候補の集約レベルのグループの識別子とのうち、少なくとも１つを含み、
そのうち、検出すべきサーチスペースの候補の集約レベルのグループには、検出すべきサーチスペースの候補の少なくとも２つの集約レベルが含まれる。
【０２５６】
選択的に、本開示の上記実施例において、前記指示シグナリングは、共通指示シグナリング又は端末専用指示シグナリングである。
【０２５７】
選択的に、本開示の上記実施例において、前記指示シグナリングが共通指示シグナリングの場合、
異なる端末の検出情報は、前記指示シグナリングにおける同じビット又は異なるビットに対応する。
【０２５８】
本開示の実施例による端末において、ネットワーク側機器は、ターゲット物理リソース又はターゲット下りリンク制御チャネル上で端末の検出情報を動的に指示することによって、端末がその対応する検出情報に従って下りリンク制御チャネルの検出を行うようにし、省エネルギーの目的を達成している。
【０２５９】
なお、本開示の実施例による端末は、上記指示シグナリングの伝送方法を実行可能な端末であれば、上記指示シグナリングの伝送方法の全ての実施例は、当該端末に適用可能で、且つ何れも同じ又は類似な有益効果を達成できる。
【０２６０】
本開示の実施例は、コンピュータプログラムを記憶したコンピュータ読取可能な記憶媒体を更に提供しており、当該プログラムがプロセッサによって実行されると、上記に記載の指示シグナリングの受信方法実施例における各手順を実現し、且つ同じ技術効果を達成することができるが、重複を避けるため、ここで繰り返して説明しない。そのうち、前記のコンピュータ読取可能な記憶媒体は、例えば読取専用メモリＲＯＭ（Ｒｅａｄ−Ｏｎｌｙ  Ｍｅｍｏｒｙ）、ランダムアクセスメモリＲＡＭ（Ｒａｎｄｏｍ  Ａｃｃｅｓｓ  Ｍｅｍｏｒｙ）、磁気ディスク又は光ディスク等である。
【０２６１】
当業者であれば、本願の実施例は、方法、システム、又はコンピュータプログラム製品として提供され得ると理解できる。従って、本願の実施例は、完全にハードウェアの実施例、完全にソフトウェアの実施例、又はソフトウェアとハードウェアとを組み合わせた実施例の形態を取り得る。しかも、本願は、コンピュータ利用可能なプログラムコードを含む１つ又は複数のコンピュータ読取可能な記憶媒体（磁気ディスクメモリ、光学メモリなどを含むが、これらに限定されない）で実施されるコンピュータプログラム製品の形態を取り得る。
【０２６２】
本願は、本願の実施例に係わる方法、機器（システム）及びコンピュータプログラム製品のフローチャート及び／又はブロック図を参照して記載されている。フローチャート及び／又はブロック図における各フロー及び／又はブロック、及びフローチャート及び／又はブロック図におけるフロー及び／又はブロックの組み合わせは、コンピュータプログラムコマンドにより実現され得ると理解されるべきである。これらのコンピュータプログラムコマンドを汎用コンピュータ、専用コンピュータ、嵌め込み式プロセッサ又は他のプログラマブルデータ処理デバイスのプロセッサに提供して１つの機器を形成し、コンピュータ又は他のプログラマブルデータ処理デバイスのプロセッサで実行されるコマンドにより、フローチャートの１つ又は複数のフロー及び／又はブロック図の１つ又は複数のブロックで指定される機能を実現するための装置を形成する。
【０２６３】
これらのコンピュータプログラムコマンドは、コンピュータ又は他のプログラマブルデータ処理デバイスが特定の方式で動作するように導けるコンピュータ読取可能なメモリに格納されてもよく、当該コンピュータ読取可能なメモリに格納されるコマンドにより、コマンド装置を含む製品を形成する。当該コマンド装置は、フローチャートの１つ又は複数のフロー及び／又はブロック図の１つ又は複数のブロックで指定される機能を実現する。
【０２６４】
これらのコンピュータプログラムコマンドは、コンピュータ又は他のプログラマブルデータ処理デバイスにロードされてもよく、コンピュータ又は他のプログラマブルデータ処理デバイスで一連の操作ステップを実行することにより、コンピュータで実現される処理を形成し、コンピュータ又は他のプログラマブルデータ処理デバイスで実行されるコマンドにより、フローチャートの１つ又は複数のフロー及び／又はブロック図の１つ又は複数のブロックで指定される機能を実現するためのステップを提供する。
【０２６５】
上述したのは、本開示の選択的な実施形態であり、注意すべきことは、当業者にとって、本開示に記載の原理を逸脱しない前提で、若干の改良及び潤色を更に行うことが可能であり、これらの改良及び潤色も本開示の保護範囲内であると見なされるべきである。
【図１】
2021536185.tif 000004
【図２】
2021536185.tif 000005
【図３】
2021536185.tif 000006
【図４】
2021536185.tif 000007
【図５】
2021536185.tif 000008
【図６】
2021536185.tif 000009
【図７】
2021536185.tif 000010
【図８】
2021536185.tif 000011
【図９】
2021536185.tif 000012
【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
ネットワーク側機器に適用される、指示シグナリングの伝送方法であって、
ターゲット物理リソース又はターゲット下りリンク制御チャネル上で指示シグナリングを送信することを包含し、前記指示シグナリングには、少なくとも１つの端末の検出情報が含まれ、前記検出情報には、
次の少なくとも１つの不連続受信ＤＲＸ（Ｄｉｓｃｏｎｔｉｎｕｏｕｓ  Ｒｅｃｅｐｔｉｏｎ）周期内のアクティブ状態を指示するための第一指示情報と、
次の少なくとも１つのＤＲＸ周期におけるＤＲＸパラメータの設定を指示するための第二指示情報と、
検出すべき下りリンク制御チャネルの検出状態情報を指示するための第三指示情報と、
次の少なくとも１つのページング機会の検出状態を指示するための第四指示情報とのうち、少なくとも１つが含まれる、指示シグナリングの伝送方法。
【請求項２】
端末に適用される、指示シグナリングの受信方法であって、
ネットワーク側機器からターゲット物理リソース又はターゲット下りリンク制御チャネル上で送信された指示シグナリングを受信することを包含し、前記指示シグナリングには、少なくとも１つの端末の検出情報が含まれ、前記検出情報には、
次の少なくとも１つの不連続受信ＤＲＸ周期内のアクティブ状態を指示するための第一指示情報と、
次の少なくとも１つのＤＲＸ周期におけるＤＲＸパラメータの設定を指示するための第二指示情報と、
検出すべき下りリンク制御チャネルの検出状態情報を指示するための第三指示情報と、
次の少なくとも１つのページング機会の検出状態を指示するための第四指示情報とのうち、少なくとも１つが含まれる、指示シグナリングの受信方法。
【請求項３】
ターゲット下りリンク制御チャネルには、
共通制御情報を搬送する制御チャネル及び／又は端末専用制御情報を搬送する制御チャネルが含まれる、請求項２に記載の方法。
【請求項４】
前記のネットワーク側機器からターゲット物理リソース又はターゲット下りリンク制御チャネル上で送信された指示シグナリングを受信することは、
ネットワーク側機器からターゲット物理リソース又はターゲット下りリンク制御チャネル上で送信された符号化後の指示シグナリングを受信することを含み、
前記ネットワーク側機器によって、情報ビットと符号化ビットとがマッピング関係を持つ符号化方式を用いて、指示シグナリングが符号化され、及び／又は、情報ビットが繰り返される符号化方式か或いは符号レートの低いチャネル符号化方式を用いて、前記指示シグナリングが符号化される、請求項２に記載の方法。
【請求項５】
前記ターゲット物理リソース又はターゲット下りリンク制御チャネル上で、シーケンスによって前記指示シグナリングを搬送する、請求項２に記載の方法。
【請求項６】
前記指示シグナリングに第一指示情報が含まれる場合、
前記第一指示情報によって指示される次の少なくとも１つの不連続受信ＤＲＸ周期内のアクティブ状態は、
次の少なくとも１つのＤＲＸ周期内で所定条件が満たされた場合、不連続受信−持続時間タイマｄｒｘ−ｏｎＤｕｒａｔｉｏｎＴｉｍｅｒをスタートさせるかどうかの情報と、
次の少なくとも１つのＤＲＸ周期のアクティブ期間内で、下りリンク制御チャネルを検出するかどうかの情報と、
次の少なくとも１つのＤＲＸ周期内で所定条件が満たされた場合、ｄｒｘ−ｏｎＤｕｒａｔｉｏｎＴｉｍｅｒをスタートさせる旨と、
次の少なくとも１つのＤＲＸ周期のアクティブ期間内で、下りリンク制御チャネルを検出する旨とのうち、少なくとも１つを含み、
そのうち、所定条件は、
不連続受信−短周期ｄｒｘ−ＳｈｏｒｔＣｙｃｌｅの場合、第一制約関係を満たすサブフレームの開始位置から、不連続受信−タイムスロットオフセットｄｒｘ−ＳｌｏｔＯｆｆｓｅｔパラメータによって示される時間の後が表す時間位置であることと、
不連続受信−長周期ｄｒｘ−ＬｏｎｇＣｙｃｌｅの場合、第二制約関係を満たすサブフレームの開始位置から、不連続受信−タイムスロットオフセットｄｒｘ−ＳｌｏｔＯｆｆｓｅｔパラメータによって示される時間の後が表す時間位置であることとのうち、少なくとも１つを含む、請求項２に記載の方法。
【請求項７】
前記指示シグナリングに前記第二指示情報が含まれる場合、
ＤＲＸパラメータ設定が上位層シグナリングによって複数セット設定されていれば、前記第二指示情報は、前記上位層シグナリングによって設定された複数セットのＤＲＸパラメータ設定のうち、１セットのＤＲＸパラメータ設定が、ＤＲＸ周期に適用されるＤＲＸパラメータ設定であることを指示し、
ＤＲＸパラメータ設定が上位層シグナリングによって１セット設定されていれば、前記第二指示情報は、スケーリングファクタを指示し、ＤＲＸ周期に適用されるＤＲＸパラメータは、前記上位層シグナリングによって設定されたＤＲＸパラメータ設定と、前記スケーリングファクタとによって特定される、請求項２に記載の方法。
【請求項８】
前記指示シグナリングに前記第三指示情報が含まれる場合、前記第三指示情報は、下記の情報、即ち、
検出すべきサーチスペースの類型と、
検出すべきサーチスペースの候補と、
検出すべきサーチスペース集合と、
検出すべきサーチスペースの無線ネットワーク一時識別子ＲＮＴＩの類型と、
検出すべき下りリンク制御情報のフォーマットと、
検出すべき下りリンク制御情報の長さとのうち、少なくとも１つの情報の値によって、検出すべき下りリンク制御チャネルの検出状態情報を指示する、請求項２に記載の方法。
【請求項９】
検出すべきサーチスペースの類型は、共通サーチスペース及び／又は端末専用のサーチスペースを含む、請求項８に記載の方法。
【請求項１０】
検出すべきサーチスペース集合の値は、検出すべきサーチスペース集合のグループのインデックス、及び／又は、検出すべきサーチスペース集合のインデックスを含む、
請求項８に記載の方法。
【請求項１１】
検出すべきサーチスペースの候補の値は、検出すべきサーチスペースの候補の比率値と、検出すべきサーチスペースの候補の集約レベルと、検出すべきサーチスペースの候補の集約レベルのグループの識別子とのうち、少なくとも１つを含む、
請求項８に記載の方法。
【請求項１２】
前記指示シグナリングは、共通指示シグナリング又は端末専用指示シグナリングである、請求項２に記載の方法。
【請求項１３】
前記指示シグナリングが共通指示シグナリングの場合、
異なる端末の検出情報は、前記指示シグナリングにおける同じビット又は異なるビットに対応する、請求項１２に記載の方法。
【請求項１４】
ネットワーク側機器に適用される、指示シグナリングの伝送装置であって、
ターゲット物理リソース又はターゲット下りリンク制御チャネル上で指示シグナリングを送信するための送信モジュールを含み、前記指示シグナリングには、少なくとも１つの端末の検出情報が含まれ、前記検出情報には、
次の少なくとも１つの不連続受信ＤＲＸ周期内のアクティブ状態を指示するための第一指示情報と、
次の少なくとも１つのＤＲＸ周期におけるＤＲＸパラメータの設定を指示するための第二指示情報と、
検出すべき下りリンク制御チャネルの検出状態情報を指示するための第三指示情報と、
次の少なくとも１つのページング機会の検出状態を指示するための第四指示情報とのうち、少なくとも１つが含まれる、指示シグナリングの伝送装置。
【請求項１５】
端末に適用される、指示シグナリングの受信装置であって、
ネットワーク側機器からターゲット物理リソース又はターゲット下りリンク制御チャネル上で送信された指示シグナリングを受信するための受信モジュールを含み、前記指示シグナリングには、少なくとも１つの端末の検出情報が含まれ、前記検出情報には、
次の少なくとも１つの不連続受信ＤＲＸ周期内のアクティブ状態を指示するための第一指示情報と、
次の少なくとも１つのＤＲＸ周期におけるＤＲＸパラメータの設定を指示するための第二指示情報と、
検出すべき下りリンク制御チャネルの検出状態情報を指示するための第三指示情報と、
次の少なくとも１つのページング機会の検出状態を指示するための第四指示情報とのうち、少なくとも１つが含まれる、指示シグナリングの受信装置。
【国際調査報告】
2021536185.tif 000013
2021536185.tif 000014
2021536185.tif 000015
2021536185.tif 000016